(57)【要約】【課題】ネットワークを通じて得られる情報を編集作業に容易に利用できるようにする。【解決手段】編集用画面エリアと参照用画面エリアとに表示画面を区分けし、編集用画面エリアにおいて、情報の編集を行なうようにする。ユーザの入力操作に応じたユーザ入力情報は編集用画面エリアに表示する。ユーザにより指定された検索キーワードを含む検索要求を、ネットワークを通じて情報提供サーバに送り、情報提供サーバから送られてくる検索結果の情報を受信し、当該受信した情報を識別するための識別表示情報を参照用画面エリアに表示する。参照用画面エリアに表示されている識別表示情報に対して、参照用画面エリアから編集用画面エリアへの取り込み指示があったか否かを判別し、取り込み指示があったと判別したときに、取り込み指示がなされた識別表示情報を、編集用画面エリアに表示して編集データに取り込む。【選択図】図８
2007047959.tif 000002
【特許請求の範囲】
【請求項１】
編集用画面エリアと参照用画面エリアとに表示画面を区分けし、前記編集用画面エリアにおいて、情報の編集を行なうようにする情報編集表示装置において、
ユーザの入力操作を受け付けるユーザ入力情報受付手段と、
前記ユーザ入力情報受付手段で受け付けられた前記ユーザの入力操作に応じたユーザ入力情報を前記編集用画面エリアに表示する編集入力手段と、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段と、
前記情報検索要求手段による前記検索要求に基づいて前記情報提供サーバから送られてくる情報を受信し、当該受信した情報を識別するための識別表示情報を前記参照用画面エリアに表示する検索結果表示手段と、
前記参照用画面エリアに表示されている前記識別表示情報に対して、前記参照用画面エリアから前記編集用画面エリアへの取り込み指示があったか否かを判別する取り込み指示判別手段と、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行手段と、
を備えることを特徴とする情報編集表示装置。
【請求項２】
請求項１に記載の情報編集表示装置において、
前記情報提供サーバから送られてくる情報には、時間情報が付随されており、前記検索結果表示手段は、前記受信した情報を識別するための識別表示情報を、前記時間情報に基づいて時間順に並べて前記参照用画面エリアに表示する
ことを特徴とする情報編集表示装置。
【請求項３】
請求項１に記載の情報編集表示装置において、
前記編集用画面エリアには、時間情報に関連付けられて前記ユーザ入力情報が入力されて表示されており、
前記検索キーワードには時間情報が含まれ、前記情報提供サーバは、前記時間情報に基づいて情報の検索を行ない、その検索結果の情報を送出するものである
ことを特徴とする情報編集表示装置。
【請求項４】
請求項３に記載の情報編集表示装置において、
前記識別表示情報移行手段は、前記取り込み指示がなされた前記識別表示情報を、前記編集用画面エリアの、対応する時間情報の前記ユーザ入力情報の近傍に配置して表示する
ことを特徴とする情報編集表示装置。
【請求項５】
請求項１に記載の情報編集表示装置において、
情報格納部を内蔵あるいは通信路を通じて情報格納部が接続されていると共に、
前記ユーザ入力情報受付手段で受け付けられた入力操作に基づいて指定された検索キーワードを用いて、前記情報格納部に格納されている情報を検索し、その検索結果として得られる情報を識別するための識別表示情報を、前記参照用画面エリアに表示する
ことを特徴とする情報編集表示装置。
【請求項６】
編集用画面エリアと参照用画面エリアとに表示画面を区分けし、前記編集用画面エリアにおいて、情報の編集を行なうようにする情報処理装置における情報編集表示方法において、
前記情報処理装置は、
ユーザの入力操作を受け付けるユーザ入力情報受付手段で受け付けられた前記ユーザの入力操作に応じたユーザ入力情報を前記編集用画面エリアに表示する編集入力工程と、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求工程と、
前記情報検索要求工程による前記検索要求に基づいて前記情報提供サーバから送られてくる情報を受信し、当該受信した情報を識別するための識別表示情報を前記参照用画面エリアに表示する検索結果表示工程と、
前記参照用画面エリアに表示されている前記識別表示情報に対して、前記参照用画面エリアから前記編集用画面エリアへの取り込み指示があったか否かを判別する取り込み指示判別工程と、
前記取り込み指示判別工程で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行工程と、
を実行することを特徴とする情報編集表示方法。
【請求項７】
編集用画面エリアと参照用画面エリアとに表示画面を区分けし、前記編集用画面エリアにおいて、情報の編集を行なうようにするためにコンピュータを、
ユーザの入力操作を受け付けるユーザ入力情報受付手段で受け付けられた前記ユーザの入力操作に応じたユーザ入力情報を前記編集用画面エリアに表示する編集入力手段、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段、
前記情報検索要求手段による前記検索要求に基づいて前記情報提供サーバから送られてくる情報を受信し、当該受信した情報を識別するための識別表示情報を前記参照用画面エリアに表示する検索結果表示手段、
前記参照用画面エリアに表示されている前記識別表示情報に対して、前記参照用画面エリアから前記編集用画面エリアへの取り込み指示があったか否かを判別する取り込み指示判別手段、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行手段、
として機能させるための情報編集表示プログラム。
【請求項８】
コンピュータを備え、ネットワークを通じて接続されるサーバに要求することにより、情報編集表示プログラムを取得して、取得した前記情報編集表示プログラムにしたがって、編集用画面エリアと参照用画面エリアとに表示画面を区分けし、編集用画面エリアにおいて、情報の編集を行なうようにする情報編集表示装置であって、
前記情報編集表示プログラムは、前記コンピュータを、
ユーザの入力操作を受け付けるユーザ入力情報受付手段で受け付けられた前記ユーザの入力操作に応じたユーザ入力情報を前記編集用画面エリアに表示する編集入力手段、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段、
前記情報検索要求手段による前記検索要求に基づいて前記情報提供サーバから送られてくる情報を受信し、当該受信した情報を識別するための識別表示情報を前記参照用画面エリアに表示する検索結果表示手段、
前記参照用画面エリアに表示されている前記識別表示情報に対して、前記参照用画面エリアから前記編集用画面エリアへの取り込み指示があったか否かを判別する取り込み指示判別手段、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行手段、
として機能させるためのプログラムであることを特徴とする情報編集表示装置。
【請求項９】
請求項８に記載の情報編集表示装置において、
前記情報編集表示プログラムは、前記コンピュータを、さらに、
前記編集用画面エリアに表示された編集結果の情報を、ユーザの指示入力に応じて前記サーバに保存するように要求する保存要求手段、
前記編集結果の情報を公開するか否かをユーザに問い合わせる問合せ手段、
前記問合せ手段に応じて前記ユーザにより入力される前記編集結果の情報を公開するか否かの情報を前記サーバに送信する手段、
として機能させるものであることを特徴とする情報編集表示装置。
【請求項１０】
請求項８に記載の情報編集表示装置において、
前記編集結果は、前記サーバに保存要求して、前記サーバに保存するようにするものであって、前記サーバに、一旦、編集結果の情報を保存した後には、前記サーバからは、前記情報編集表示プログラムと共に、前記編集結果を取得して再編集を行なう
ことを特徴とする情報編集表示装置。
【請求項１１】
コンピュータを備える情報編集表示装置にネットワークを通じて接続され、前記情報編集表示装置からの前記ネットワークを通じた要求に応じて、前記情報編集表示装置に情報編集表示プログラムを送るようにするサーバであって、
前記情報編集表示プログラムは、前記情報編集表示装置において、編集用画面エリアと参照用画面エリアとに表示画面を区分けし、前記編集用画面エリアにおいて、情報の編集を行なわせるようにするものであって、前記情報編集表示装置のコンピュータを、
ユーザの入力操作を受け付けるユーザ入力情報受付手段で受け付けられた前記ユーザの入力操作に応じたユーザ入力情報を前記編集用画面エリアに表示する編集入力手段、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段、
前記情報検索要求手段による前記検索要求に基づいて前記情報提供サーバから送られてくる情報を受信し、当該受信した情報を識別するための識別表示情報を前記参照用画面エリアに表示する検索結果表示手段、
前記参照用画面エリアに表示されている前記識別表示情報に対して、前記参照用画面エリアから前記編集用画面エリアへの取り込み指示があったか否かを判別する取り込み指示判別手段、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行手段、
として機能させるためのプログラムであることを特徴とするサーバ。
【請求項１２】
請求項１１に記載のサーバにおいて、
前記情報編集表示プログラムは、前記コンピュータを、さらに、
前記編集用画面エリアに表示された編集結果の情報を、ユーザの指示入力に応じて前記サーバに保存するように要求する保存要求手段、
前記編集結果の情報を公開するか否かをユーザに問い合わせる問合せ手段、
前記問合せ手段に応じて前記ユーザにより入力される前記編集結果の情報を公開するか否かの情報を前記サーバに送信する手段、
として機能させるものであることを特徴とするサーバ。
【請求項１３】
請求項１１に記載のサーバにおいて、
前記編集結果の情報を、一旦、保存した後に、前記情報編集表示装置から前記情報編集表示プログラムの取得要求があったときには、前記保存されている前記編集結果を合わせて前記情報編集表示装置に送る
ことを特徴とするサーバ。
【請求項１４】
コンピュータを備える情報編集表示装置と、前記情報編集表示装置とネットワークを通じて接続されるサーバとからなる情報処理システムであって、
前記情報編集表示装置は、前記サーバに要求することにより、情報編集表示プログラムを取得して、取得した前記情報編集表示プログラムにしたがって、編集用画面エリアと参照用画面エリアとに表示画面を区分けし、編集用画面エリアにおいて、情報の編集を行ない、その編集結果の情報を前記サーバに保存するようにし、
前記サーバは、前記情報編集表示装置からの前記ネットワークを通じた要求に応じて、前記情報編集表示装置に情報編集表示プログラムを送り、その編集結果の情報を前記情報編集表示装置から受け取って保存するようにするものであり、
前記情報編集表示プログラムは、前記情報編集表示装置のコンピュータを、
ユーザの入力操作を受け付けるユーザ入力情報受付手段で受け付けられた前記ユーザの入力操作に応じたユーザ入力情報を前記編集用画面エリアに表示する編集入力手段、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段、
前記情報検索要求手段による前記検索要求に基づいて前記情報提供サーバから送られてくる情報を受信し、当該受信した情報を識別するための識別表示情報を前記参照用画面エリアに表示する検索結果表示手段、
前記参照用画面エリアに表示されている前記識別表示情報に対して、前記参照用画面エリアから前記編集用画面エリアへの取り込み指示があったか否かを判別する取り込み指示判別手段、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む識別表示情報移行手段、
前記編集用画面エリアに表示された編集結果の情報を、ユーザの指示入力に応じて前記サーバに保存するように要求する保存要求手段、
として機能させるためのプログラムであることを特徴とする情報処理システム。
【請求項１５】
請求項１４に記載の情報処理システムにおいて、
前記情報編集表示プログラムは、前記コンピュータを、さらに、
前記編集結果の情報を公開するか否かをユーザに問い合わせる問合せ手段、
前記問合せ手段に応じて前記ユーザにより入力される前記編集結果の情報を公開するか否かの情報を前記サーバに送信する手段、
として機能させるものであることを特徴とする情報処理システム。
【発明の詳細な説明】
【技術分野】
【０００１】
この発明は、例えば自分史などの私的な編集情報の作成時に、種々の情報を関連付けて利用しようとする場合に使用して好適な情報編集表示装置、情報編集表示方法、サーバ、情報処理システムおよび情報編集表示プログラムに関する。
【背景技術】
【０００２】
例えば、パーソナルコンピュータにおいて、所定の文字入力などを行なって編集作業を行っているときに、他の情報を参照したい場合が多々ある。このような場合には、一般的には、いわゆるマルチウインドウ表示を行なって、参照したい情報を、別ウィンドウに表示するようにすることが、従来から行われている。
【０００３】
例えば特許文献１（特開２００２−０４４５５５公報）には、例えばＥＰＧ（Ｅｌｅｃｔｒｏｎｉｃ  Ｐｒｏｇｒａｍｍｉｎｇ  Ｇｕｉｄｅ；電子番組ガイド）などにおいて、一覧表示されているコンテンツのうち、所定のコンテンツが選択されると、第１の領域にその選択されたコンテンツに対応する関連情報が表示されると共に、第２の領域にその選択されたコンテンツの再生データが表示されるようにされている。
【０００４】
上記の先行技術文献は、次の通りである。
【特許文献１】特開２００２−０４４５５５号公報
【発明の開示】
【発明が解決しようとする課題】
【０００５】
ところで、従来、ユーザが文字入力や、絵記号の入力、さらには、自分で収集した画像などのデータを用いて、所定の編集ページを作成するようにする場合において、ネットワークから検索して得られる情報を、当該編集に利用したい場合が多々ある。
【０００６】
しかしながら、従来の場合、特許文献１のように、参照用として同時に表示することはできても、それをそのまま編集用データとして利用することはできなかった。
【０００７】
この発明は、以上の点にかんがみ、ネットワークを通じて得られる情報を編集作業に容易に利用することできるようにすることを目的とする。
【課題を解決するための手段】
【０００８】
上記の課題を解決するために、請求項１の発明は、
編集用画面エリアと参照用画面エリアとに表示画面を区分けし、前記編集用画面エリアにおいて、情報の編集を行なうようにする情報編集表示装置において、
ユーザの入力操作を受け付けるユーザ入力情報受付手段と、
前記ユーザ入力情報受付手段で受け付けられた前記ユーザの入力操作に応じたユーザ入力情報を前記編集用画面エリアに表示する編集入力手段と、
前記ユーザ入力情報受付手段で受け付けられた入力操作に基づいて指定された検索キーワードを含む検索要求を、ネットワークを通じて情報提供サーバに送り、前記情報提供サーバからの、公開されている情報の取得の要求をする情報検索要求手段と、
前記情報検索要求手段による前記検索要求に基づいて前記情報提供サーバから送られてくる情報を受信し、当該受信した情報を識別するための識別表示情報を前記参照用画面エリアに表示する検索結果表示手段と、
前記参照用画面エリアに表示されている前記識別表示情報に対して、前記参照用画面エリアから前記編集用画面エリアへの取り込み指示があったか否かを判別する取り込み指示判別手段と、
前記取り込み指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データに取り込む識別表示情報移行手段と、
を備えることを特徴とする。
【０００９】
また、請求項２の発明は、請求項１に記載の情報編集表示装置において、
前記情報提供サーバから送られてくる情報には、時間情報が付随されており、前記検索結果表示手段は、前記受信した情報を識別するための識別表示情報を、前記時間情報に基づいて時間順に並べて前記参照用画面エリアに表示する
ことを特徴とする。
【００１０】
また、請求項３の発明は、請求項１に記載の情報編集表示装置において、
前記編集用画面エリアには、時間情報に関連付けられて前記ユーザ入力情報が入力されて表示されており、
前記検索キーワードには時間情報が含まれ、前記情報提供サーバは、前記時間情報に基づいて情報の検索を行ない、その検索結果の情報を送出するものである
ことを特徴とする。
【００１１】
上述の構成の請求項１の発明においては、編集用画面エリアでユーザ入力情報を入力しながら、情報検索要求手段でサーバに対してネットワークを通じて検索キーワードを含む検索要求をすると、サーバから送られてくる検索結果を受け取って、その検索結果の識別用情報を編集用画面エリアとは別の参照用画面エリアに表示するようにする。
【００１２】
そして、この参照用画面エリアに表示されている検索結果の識別用情報について、参照用画面エリアから編集用画面エリアへの取り込み指示がなされると、識別表示情報移行手段により取り込み指示がなされた識別表示情報が、編集用画面エリアにコピーされて表示される。これにより、ネットワークから検索して取得された情報を、編集用画面エリアに取り込んで編集することが可能になる。
【００１３】
そして、請求項２の発明によれば、サーバから取得される検索結果には時間情報が付随されており、参照用画面エリアに表示された検索結果の情報の識別表示情報は、前記時間情報に基づいて、時間順に並べられる。
【００１４】
したがって、編集用画面エリアで、例えば自分史など、時間情報に基づいた編集入力がなされる場合に、参照用画面エリアに表示される検索結果の情報の参照が容易になるというメリットがある。
【００１５】
また、請求項３の発明によれば、編集用画面エリアにおいて時間情報に関連付けた編集入力を行なっている場合において、時間情報を含む検索キーワードを用いて検索をすることができるので、参照用画面エリアに編集に際して有用な情報を表示して、必要に応じて編集用画面エリアに取り込んで、編集データとすることができる。
【発明の効果】
【００１６】
この発明によれば、表示画面に、編集用画面エリアと参照用画面エリアとを区分けして表示し、編集用画面エリアには、ユーザが編集用のユーザ情報を入力することができると共に、参照用画面エリアには、検索結果のコンテンツをサーバから受け取ってそのコンテンツの識別表示情報を表示し、かつ、当該参照用画面に表示している識別表示情報に対して、編集用画面エリアへ移行させる指示をすることにより、当該参照用画面エリアに識別表示情報が表示されているコンテンツを、編集用画面エリアに表示させ、編集データとして取り込むことができる。したがって、この発明によれば、編集作業を容易に行なうことができる。
【発明を実施するための最良の形態】
【００１７】
以下、この発明による情報編集表示装置およびサーバの実施形態およびこれら情報編集表示装置およびサーバの実施形態を含む情報処理システムの実施形態を、図を参照しながら説明する。
【００１８】
なお、この明細書のおいて、コンテンツとは、例えば音楽、映像（映画、テレビ放送番組、撮像画像など）、電子書籍（論文、小説、雑誌などのテキスト情報および静止画情報）、ガイド情報、Ｗｅｂページ、プログラム（ゲームプログラムなどを含む）などの信号によって表現された内容情報とするものとする。
【００１９】
［第１の実施形態］
図１は、第１の実施形態の情報処理システムの構成例を示す図である。この実施形態の情報処理システムは、基本的には、情報編集表示装置１０と、情報提供サーバの例としてのネットワークサーバ２０とが、インターネットなどの通信ネットワーク３０を介して接続される構成とされている。
【００２０】
情報編集表示装置１０は、この例では、パーソナルコンピュータで構成される。この情報編集表示装置１０は、通信ネットワーク３０に接続されていると共に、例えば光ディスクなどの記憶媒体を用いたローカル記憶部１１や、ハードディスク装置や半導体メモリ装置などの記憶媒体を用いてローカル記憶部１２と接続されている。これらのローカル記憶部１１および１２は、情報編集表示装置１０に内蔵されている場合と、情報編集表示装置１０に対してＬＡＮ（Ｌｏｃａｌ  Ａｒｅａ  Ｎｅｔｗｏｒｋ）を通じて接続されている場合の、いずれかの態様で設けられている。
【００２１】
ネットワークサーバ２０は、後述するように、コンテンツデータベース２１を内蔵して備えている。このコンテンツデータベース２１には、この実施形態では、音楽コンテンツ、ビデオコンテンツ、放送番組コンテンツ、電子書籍コンテンツ、写真コンテンツ（撮像画像コンテンツ）およびその他のコンテンツのデータが、その属性情報と対応付けられて格納されている。
【００２２】
また、ネットワークサーバ２０は、通信ネットワーク３０を通じて、ネットワークストレージ２１やユーザ装置２２に接続して、それらの外部のネットワークストレージ２１やユーザ装置２２から、所定のコンテンツを取得することが可能とされている。この例では、ネットワークストレージ２１やユーザ装置２１は、ネットワークサーバ２０からのコンテンツ取得要求があると、当該取得要求されたコンテンツのデータをネットワークサーバ２０に送る機能を備えている。
【００２３】
そして、この第１の実施形態では、情報編集表示装置１０は、情報編集表示処理用のアプリケーションプログラムを予めメモリに記憶して保持しており、ネットワークサーバ２０との接続に関係なく、情報編集表示処理を開始することできる。
【００２４】
そして、この第１の実施形態では、情報編集表示モードにおいて、ユーザにより検索要求が発せられると、情報編集表示装置１０は、通信ネットワーク３０を通じてネットワークサーバ２０にアクセスして、その検索要求をサーバ２０に送り、その検索結果をサーバから受信して、編集処理に用いるようにする。
【００２５】
ネットワークサーバ２０は、コンテンツデータベース２１において、コンテンツのデータのそれぞれを、この例では、フォルダ形式で格納している。図２に示すように、各コンテンツのフォルダ４０には、当該コンテンツの主データのファイル４１と、当該コンテンツの識別表示情報のファイル４２と、当該コンテンツの属性情報のファイル４３とが含められている。これらのフォルダ４０およびファイル４１，４２，４３は、この例では、コンテンツ識別信号ＩＤにより対応付けられている。
【００２６】
コンテンツの主データは、例えば音楽コンテンツの場合のオーディオデータ、映像コンテンツの場合の映像データ、文書コンテンツの場合のテキストデータ等である。なお、各コンテンツの主データは、それぞれのコンテンツの種類に応じた適切な圧縮が施されてコンテンツデータベース１１に記憶されている。例えば、音楽コンテンツのデータの場合には、ＭＰ３（ＭＰＥＧ−１  ａｕｄｉｏ  ｌａｙｅｒ  III）やＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）などが用いられて圧縮されて記録されている。また、音楽コンテンツがＭＩＤＩ（Ｍｕｓｉｃａｌ  Ｉｎｓｔｒｕｍｅｎｔ  Ｄｉｇｉｔａｌ  Ｉｎｔｅｒｆａｃｅ）のデータからなっていてもよい。
【００２７】
また、映像コンテンツのデータの場合には、ＭＰＥＧ（Ｍｏｖｉｎｇ  Ｐｉｃｔｕｒｅ  Ｅｘｐｅｒｔｓ  Ｇｒｏｕｐ）２、ＭＰＥＧ４、ＪＰＥＧなどが用いられて圧縮されて記録されている。
【００２８】
これらの音楽コンテンツやビデオコンテンツについての圧縮形式やデータ形式は、図３では、省略したが、各コンテンツの属性情報としてコンテンツデータベース２１に書き込まれている。そして、後述するように、ネットワークサーバ２０は、情報編集表示装置からコンテンツの主データの取得要求を受け取ったときに、そのコンテンツの主データの取得要求に含まれる情報編集表示装置が具備するデコード機能および再生可能なデータ形式の情報を基に、コンテンツの主データの取得要求してきた情報編集表示装置がデコードおよび再生可能なコンテンツデータのみを選択して情報編集表示装置に配信するようにする。
【００２９】
コンテンツの識別表示情報は、この例では、ユーザにコンテンツがどのようなものであるかを報知するためのもので、サムネイルやアイコンなどで構成されている。また、このコンテンツの識別表示情報には、コンテンツを説明するためのテキスト情報が附属される場合もある。後述するように、この例では、このコンテンツの識別表示情報が、表示画面に表示されているときに、ユーザにより、例えばクリック（ダブルクリックでもよい）されると、当該識別情報情報のコンテンツが選択されたことを意味するように、編集表示処理用のプログラムが作成されている。
【００３０】
コンテンツの属性情報は、コンテンツの特徴や性質などを特定するための情報であり、この例では、このコンテンツの属性情報は、コンテンツの検索のために用いられる。なお、文書コンテンツなどのテキストデータも、後述する検索の際に、その検索キーワードを含むか否かが探索される検索対象とされるものである。
【００３１】
図３は、コンテンツの属性情報の例を示す図である。この例においては、コンテンツの属性情報としては、「音楽」、「映画」、「テレビ放送番組」、「電子書籍」、「写真」などのコンテンツの「種類」、各コンテンツの「ジャンル」、各コンテンツの「タイトル」、演奏者、出演者などの「パフォーマー」、コンテンツに関する時間情報、コンテンツデータの圧縮方式やデータ形式、取得場所（撮影場所）などが記憶されている。
【００３２】
そして、この実施形態では、特に、時間情報には、当該時間情報についての属性情報として時間情報の意味を表わす情報が併せて記憶されるようにされており、その時間情報の意味を表わす情報の種類や違いに応じて、１つのコンテンツに対しても、複数個の時間情報が記憶可能とされている。つまり、この実施の形態では、コンテンツデータベース２１に記憶されるコンテンツに関する時間情報として、その意味が異なる複数種類の時間情報が含まれるものである。そして、その複数種類の時間情報のそれぞれを特定するための情報として、時間情報の属性情報が用いられる。
【００３３】
例えば、音楽コンテンツの場合であれば、図３に示すように、レコードやＣＤ（Ｃｏｍｐａｃｔ  Ｄｉｓｃ）が発売された年月および日時（リリース日（発売日））、ヒットチャートのベストテンに入った年月および日時、ライブで歌われた年月および日時、ラジオやテレビで放送された年月および日時などの時間情報が、その時間情報の意味を表わすテキスト情報などの時間情報の属性情報とともにコンテンツデータベース２１に記憶可能である。
【００３４】
また、映画のコンテンツの場合であれば、図３に示すように、日本で封切り上映された年月および日時、米国で封切り上映された年月および日時、テレビ放映された年月および日時などの時間情報が、その時間情報の意味を表わすテキスト情報などの時間情報の属性情報とともにコンテンツデータベース２１に記憶可能である。
【００３５】
また、テレビ放送番組のコンテンツの場合であれば、図３に示すように、放送された年月および日時、ＤＶＤ（Ｄｉｇｉｔａｌ  Ｖｅｒｓａｔｉｌｅ  Ｄｉｓｃ）に記録されて発売された年月および日時、再放送された年月および日時などの時間情報が、その時間情報の意味を表わすテキスト情報などの時間情報の属性情報とともにコンテンツデータベース２１に記憶可能である。
【００３６】
また、ニュースのコンテンツの場合であれば、図３に示すように、放送日、ニュースの対象となっている事象の発生日時、新聞掲載日時などの時間情報が、その時間情報の意味を表わすテキスト情報などの時間情報の属性情報とともにコンテンツデータベース２１に記憶可能である。なお、この実施形態では、ニュースのコンテンツは、ニュースの対象となる事象や事件ごとに分けられて、細かくコンテンツデータベース２１に記憶されている。つまり、例えば同じ時間帯に放送されたニュースであっても、ニュースの対象となる事象や事件ごとに分けられてコンテンツデータベース２１に記憶され、管理されている。
【００３７】
さらに、電子書籍のコンテンツの場合であれば、図３に示すように、紙書籍発行日（年月日）、電子書籍発行日（年月日）、ベストセラー入りの日（年月日）などの時間情報が、その時間情報の意味を表わすテキスト情報などの時間情報の属性情報とともにコンテンツデータベース２１に記憶可能である。
【００３８】
以上のように、この実施形態では、ネットワークサーバ２０は、複数種類のコンテンツを、それらのコンテンツを時間情報と対応付けてコンテンツデータベース２１に格納している。
【００３９】
そして、ネットワークサーバ２０は、情報編集表示装置１０からの検索要求を受けると、その検索要求に含まれるキーワードを用いてコンテンツデータベース２１を検索し、その検索の結果である検索条件に合致するコンテンツの識別表示情報を、検索要求してきた情報編集表示装置１０に、先ず、送る。検索キーワードにも拠るが、通常は、検索条件に合致するコンテンツは、複数個、得られるので、それらの複数個のコンテンツの識別表示情報が、そのコンテンツ識別情報ＩＤと共に情報編集表示装置１０に送られることになる。
【００４０】
そして、ネットワークサーバ２０は、後述するように、情報編集表示装置１０で、コンテンツの識別表示情報に対するユーザ操作に基づいて発生される、コンテンツの主データの取得要求を受信すると、当該取得要求に含まれるコンテンツ識別情報ＩＤで示されるコンテンツの主データを、情報編集表示装置１０に送るようにする。
【００４１】
ところで、この実施形態では、コンテンツの主データがネットワークサーバ２０のコンテンツデータベース２１には無く、ネットワークストレージ２１やユーザ装置２２に存在する場合を想定している。つまり、この実施形態では、コンテンツデータベース２１の格納容量が有限であることから、ネットワークサーバ２０以外に格納されているコンテンツの主データを、必要に応じて取得して、利用するようにするものである。
【００４２】
そのため、図３に示されるように、この実施形態では、コンテンツの主データの格納場所の情報が、コンテンツの属性情報としてコンテンツデータベース２１に格納されている。そして、コンテンツデータベース２１が、情報編集表示装置１０からコンテンツの主データの取得要求を受けたとき、その取得要求対象のコンテンツの主データが、ネットワークストレージ２２やユーザ装置２３に存在していると判別したときには、ネットワークサーバ２０は、それらのネットワークストレージ２２やユーザ装置２３にコンテンツ識別情報ＩＤを含むコンテンツ取得要求を送って、そのコンテンツの主データを取得し、情報編集表示装置１０に転送するようにする。
【００４３】
なお、この実施形態では、コンテンツの主データのみがネットワークストレージ２２やユーザ装置２３に格納されるようにしたが、コンテンツの識別表示情報も、これらネットワークストレージ２２やユーザ装置２３に格納しておくこともできる。ただし、この実施形態では、コンテンツの属性情報は、全てのコンテンツについてコンテンツデータベース２１に記憶されているものとしている。
【００４４】
コンテンツの識別表示情報も、ネットワークストレージ２２やユーザ装置２３に格納されている場合には、検索結果として、それらのネットワークストレージ２２やユーザ装置２３に格納されているコンテンツが検索条件に適合するものとされたときには、ネットワークサーバ２０は、当該コンテンツの識別表示情報も、これらのネットワークストレージ２２やユーザ装置２３から取得して、情報編集表示装置１０に転送するものである。
【００４５】
なお、この実施形態では、情報編集表示装置１０は、検索要求を通信ネットワーク３０を通じてネットワークサーバ２０に送出する際には、ローカル記憶部１１および１２にもアクセスして、当該ローカル記憶部１１および１２に記憶されているコンテンツについて、同じ検索キーワードによる検索を実行し、その検索結果して検出されるコンテンツの識別表示情報を表示画面に表示するようにする。
【００４６】
したがって、この実施形態では、情報編集表示装置１０では、ローカル記憶部１１や１２に記憶されているコンテンツか、ネットワークサーバ２０から通信ネットワーク３０を通じて取得されたコンテンツかに関係なく、検索結果が情報編集表示装置１０の表示画面に表示され、それらが情報編集のために利用可能となる。
【００４７】
なお、この実施形態では、ローカル記憶部１１や１２には、コンテンツのデータは、前述したネットワークサーバ２０のコンテンツデータベース２１に格納されているのと同様のフォルダ形式で記憶されている。すなわち、コンテンツの主データのファイルと、コンテンツの識別表示情報のファイルと、コンテンツの属性情報とが、各コンテンツのそれぞれについて記憶されている。
【００４８】
［情報編集表示装置１０のハードウエア構成例］
この実施形態の情報編集表示装置１０のハードウエア構成例を図４に示す。
【００４９】
図４に示すように、この実施形態の情報編集表示装置１０は、システムバス１００を介して、ＣＰＵ（Ｃｅｎｔｒａｌ  Ｐｒｏｃｅｓｓｉｎｇ  Ｕｎｉｔ）１０１に対して、プログラム用ＲＯＭ（Ｒｅａｄ  Ｏｎｌｙ  Ｍｅｍｏｒｙ）１０２、ワークエリア用ＲＡＭ（Ｒａｎｄｏｍ  Ａｃｃｅｓｓ  Ｍｅｍｏｒｙ）１０３、ネットワークインターフェース（インターフェースは、図ではＩ／Ｆと記載。以下同じ）１０４、受信データ処理部１０５、送信データ処理部１０６、ＡＶコンテンツデコード処理部１０７、コンテンツ検索処理部１０８、音声信号インターフェース１０９、ＬＣＤ（Ｌｉｑｕｉｄ  Ｃｒｙｓｔａｌ  Ｄｉｓｐｌａｙ；液晶ディスプレイ）インターフェース１１０、操作部インターフェース１１１、ハードディスクドライブ１１２、外部メディアドライブ１１３が接続されて構成されている。
【００５０】
ＲＯＭ１０２あるいはハードディスクドライブ１１２のハードディスクのアプリケーションプログラム格納エリアには、情報編集表示装置１０における情報編集表示処理のためのソフトウエアプログラムが格納されている。ＲＯＭ１０２には、また、この情報編集表示装置１０の通信ネットワーク用のアドレス情報が記憶されている。この情報編集表示装置１０からの送信の際に、送信元アドレスとして用いるためである。
【００５１】
ＲＡＭ１０３は、ＣＰＵ１０１が、前記処理プログラムを実行する際にワークエリアとして用いられる。すなわち、ＣＰＵ１０１は、このＲＯＭ１０２のプログラムにしたがってＲＡＭ１０３をワークエリアとして用いて、前記情報編集処理を実行するようにする。
【００５２】
ＬＣＤインターフェース１１０には、ＬＣＤ１１４が接続されている。また、操作部インターフェース１１１には、キーボードやマウスなどからなる操作入力部１１５が接続されている。操作部インターフェース１１１は、ＣＰＵ１０１の制御の下に、利用者により、操作入力部１１５において、キーボードやマウスの操作情報を検出し、その操作情報をシステムバス１００に供給する。
【００５３】
ＣＰＵ１０１は、システムバス１００に供給されたキーボードやマウスの操作情報を、ＲＯＭ１０２のプログラムにしたがって解析し、各機能モードにおける各操作に対応する処理を実行する。
【００５４】
コンテンツ検索処理部１０８は、ユーザ操作により検索キーワードが入力され、検索要求が装置１０に入力されたときに、ＣＰＵ１０１の制御にしたがって、入力された検索キーワードを含めた検索要求を生成し、生成した検索要求を、送信データ処理部１０６に供給して、通信ネットワーク３０を通じてネットワークサーバ２０に送るようにすると共に、自装置に接続されている、あるいは内蔵しているコンテンツのローカル記憶部にアクセスして、当該ローカル記憶部の格納データについての検索キーワードに基づく検索を実行する。このコンテンツ検索処理部１０８は、ＣＰＵ１０１のソフトウエア処理によっても実現可能である。
【００５５】
送信データ処理部１０６は、ＲＯＭ１０２からネットワークサーバ２０の通信ネットワーク３０上のアドレス情報を得ると共に、これに入力されるネットワークサーバ２０に送信すべきデータを、送信可能な信号形態に変換して、送信データを生成し、生成した送信データをネットワークインターフェース１０４に送る。
【００５６】
ネットワークインターフェース１０４は、送信データ処理部１０６から送られてくる送信データを通信ネットワーク３０に送出すると共に、通信ネットワーク３０を通じて受信された受信データを、受信データ処理部１０５に転送する。
【００５７】
受信データ処理部１０５は、ネットワークインターフェース１０４から転送されてきた受信データを、情報編集表示装置１０で処理可能なデータに変換し、システムバス１００に送出する。ＣＰＵ１０１は、その受信データを解析し、コンテンツの識別表示情報はディスプレイインターフェース１１０に転送してＬＣＤ１１４に表示させるようにすると共に、ＡＶコンテンツの主データは、ＡＶコンテンツデコード処理部１０７に転送する。
【００５８】
ＡＶコンテンツデコード処理部１０７は、入力されたＡＶコンテンツのデータをデコードし、デコードして得たデジタルビデオデータは、ＬＣＤインターフェース１１０を通じてＬＣＤ１１４に送られ、画像（映像）が再生表示される。また、ＡＶコンテンツデコード処理部１０７でデコードされて得られたデジタルオーディオ信号は、音声信号インターフェース１０９に供給される。
【００５９】
音声信号インターフェース１０９は、デジタルオーディオ信号をアナログオーディオ信号に戻し、そのアナログオーディオ信号を、オーディオアンプ１１６を通じてスピーカ１１７に供給して、音響再生させるようにする。
【００６０】
なお、この実施形態では、検索要求には、当該情報編集表示装置１０のＡＶコンテンツデコード処理部２０７が備えるＡＶコンテンツデコード機能を識別するための情報を含めるようにしておき、ネットワークサーバ２０から、当該ＡＶコンテンツデコード処理部１０７でデコード処理ができるＡＶコンテンツのみを取得するように構成する。
【００６１】
ハードディスクドライブ１１２は、ローカル記憶部の例を構成するもので、この例では、記憶媒体としてのハードディスクに、ユーザが作成したコンテンツや、撮影した写真のコンテンツ、サーバから取得した公開されているコンテンツなどが、前述したようなフォルダおよびファイル形式で記憶されている。
【００６２】
外部メディアドライブ１１３は、例えばＤＶＤ（Ｄｉｇｉｔａｌ  Ｖｅｒｓａｔｉｌｅ  Ｄｉｓｃ）などの外部メディアが装填されて、当該外部メディアに対して書き込みおよび読み出しを行なうもので、これもローカル記憶部の例を構成するものである。ユーザが編集に用いたいと考えるコンテンツが記憶されている外部メディアを、この外部メディアドライブ１１３に装填することにより、ユーザが使用したい素材を編集用として用いることができる。
【００６３】
［ネットワークサーバ２０のハードウエア構成例］
この実施形態のネットワークサーバ２０のハードウエア構成例を図５に示す。
【００６４】
図５に示すように、この実施形態のネットワークサーバ２０は、システムバス２００を介して、ＣＰＵ２０１に対して、プログラム用ＲＯＭ２０２、ワークエリア用ＲＡＭ２０３、通信インターフェース２０４、受信データ処理部２０５、送信データ処理部２０６、コンテンツデータベース２１、コンテンツ検索部２０７、配信データ生成処理部２０８が接続されて構成されている。通信インターフェース２０４は、インターネット３０に接続されている。
【００６５】
ＲＯＭ２０２には、ネットワークサーバ２０のＣＰＵ２０１が実行すべき処理プログラムが格納されている。ＲＡＭ２０３は、ＣＰＵ２０１が、前記処理プログラムを実行する際にワークエリアとして用いられる。ＲＯＭ２０２には、また、このネットワークサーバ２０の通信ネットワーク用のアドレス情報が記憶されている。このネットワークサーバ２０からの送信の際に、送信元アドレスとして用いるためである。
【００６６】
受信データ処理部２０５は、通信インターフェース２０４を通じて受信した情報編集表示装置１０からの検索要求を受信し、ネットワークサーバ２０が処理可能なデータに変換し、システムバス２００に送出する。
【００６７】
送信データ処理部２０６は、配信データ生成処理部２０８で生成された配信データを、通信ネットワークを通じて送出する送信データに変換して、通信インターフェース２０４を通じてインターネット３０に送出するようにする。
【００６８】
コンテンツデータベース２１には、前述の図２を参照して説明したコンテンツのデータが格納されている。すなわち、コンテンツデータベース２１には、少なくともコンテンツの主データと、コンテンツの識別表示情報と、コンテンツの属性情報とが、前述もしたように、コンテンツ識別情報ＩＤを介在して互いに対応付けられて格納されている。
【００６９】
コンテンツ検索部２０７は、情報編集表示装置１０から送られてきた検索要求に含まれる検索キーワードを検索条件として、コンテンツデータベース２１に格納されているコンテンツを検索し、それに基づいて検索結果のコンテンツの識別表示情報をコンテンツデータベース２１から読み出す。また、情報編集表示装置１０からコンテンツの主データの取得要求を受けたときには、コンテンツ検索部２０７は、当該主データの取得要求に含まれるコンテンツ識別情報ＩＤを用いて、対応するコンテンツの主データを、コンテンツデータベースから読み出して抽出し、送信データ処理部２０６に転送する処理を実行する。このコンテンツ検索部２０７は、ＣＰＵ２０１によるソフトウエア処理としても実現することができる。
【００７０】
配信データ生成処理部２０８は、コンテンツ検索部２０７での検索結果により得られたコンテンツの識別表示情報またはコンテンツの主データから配信データを生成し、生成した配信データを送信データ処理部２０６に転送するようにする。
【００７１】
［情報編集表示装置１０における情報編集表示処理の概要］
この実施形態の情報編集表示装置１０は、ＲＯＭ１０２またはハードディスクに記憶されている情報編集表示処理プログラムに従った情報編集表示処理の概要を、図６〜図８の情報編集表示装置１０のディスプレイ１１４における表示例を参照しながら説明する。
【００７２】
情報編集表示装置１０のユーザが情報編集表示処理プログラムを起動すると、ディスプレイ１１４の表示画面１１４Ｄには、図６〜図８に示すような情報編集表示処理画面が表示される。図６〜図８に示すように、この情報編集表示処理画面は、編集用画面エリア３００と、参照用画面エリア４００とに区分けされている。
【００７３】
編集用画面エリア３００には、操作入力部１１５を通じてユーザが入力したユーザ入力情報が表示される。図６〜図８の例では、編集用画面エリア３００には、いわゆる自分史がユーザ入力により作成されて表示されている。
【００７４】
すなわち、図の例では、編集用画面エリア３００は、誰の自分史であるかを示す名前欄３０１と、誕生日表示欄３０２と、年代表示欄３０３と、イベント表示欄３０４と、関連情報表示欄３０５とを備えており、ユーザの操作入力部１１５を通じた入力情報が各欄に表示される。
【００７５】
なお、ユーザ入力情報は、直接的に編集用画面エリア３００内に書き込めるようにしてもよいし、ユーザ入力情報の書き込み用のウィンドウを開いて、当該ウィンドウ内において、指定された欄に、上記の事項をそれぞれ書き込むようにしても良い。後者の場合には、書き込みが終了して「完了」指示をユーザが入力すると、当該ユーザ入力情報の書き込み用のウィンドウ内で入力された各事項が、編集用画面エリア３００の対応する各欄に表示される。
【００７６】
ユーザが、自分史として作成したい人（ユーザ本人以外でもかまわない）の名前および誕生日を入力すると、当該入力された名前が名前表示欄３０１に表示され、また、誕生日が誕生日表示欄３０２に表示される。
【００７７】
そして、ユーザが、年（必要に応じて月日も付加）およびその年（あるいは年月日）に起こったイベントを入力すると、「年代」数字が編集用画面エリア３００の年代表示欄３０３に表示されると共に、イベント表示欄３０４の年代表示欄３０３の、各年代数字の横の位置に、その年（あるいは年月日）に起こったものとして入力されたイベント内容がテキスト文字により表示される。
【００７８】
そして、関連情報表示欄３０５には、この実施形態では、参照用画面エリア４００から取り込まれた１〜複数個の各種コンテンツの識別表示情報３０６が表示される。この場合、各種コンテンツの識別表示情報は、年代表示欄３０３の各年代に対応するように、図の例では、対応する年代の横の位置に表示されて、どの年代の関連情報であるかが容易に分かるように表示される。
【００７９】
参照用画面エリア４００には、情報編集表示装置１０が、ユーザの検索要求に基づいて検索して収集したコンテンツの情報が表示される。この例では、コンテンツの情報としては、コンテンツの識別表示情報が表示される。そして、この例では、図６〜図８に示すように、参照用画面エリア４００には、コンテンツは、その種類ごとに纏められて表示されるようにされている。
【００８０】
すなわち、参照用画面エリア４００においては、コンテンツの種類に応じた複数個のタグ４０１が表示されており、ユーザがタグ４０１のいずれかを選択すると、そのタグ４０１に文字表記されている種類のコンテンツについて、検索されて得られた１〜複数個のコンテンツの識別表示情報４０２が表示されるようにされている。そして、いずれの検索キーワードによって検索されたかは、キーワード表示欄４０３に表示される。
【００８１】
この場合、検索キーワードは、年月日などの時間情報を含む場合と、時間情報を含まない場合のいずれの場合も、指定入力することができる。検索キーワードは、キーワード表示欄４０３に直接に、ユーザが入力することもできるし、また、年代表示欄３０３に表示されている年代の一つを選択して入力することもできる。また、イベント表示欄３０４に表示されているイベント内容のテキスト文字のうちから、ユーザが選択した文字列（選択範囲は、色反転して表示）を検索キーワードとすることもできる。さらに、年代などの時間情報と、文字列との両方を、検索キーワードとして指定入力することもできる。いずれの場合にも、指定された検索キーワードは、参照用画面エリア４００のキーワード表示欄４０３に表示されるように構成されている。
【００８２】
検索キーワードが指定された後、ユーザが、この例では、ソフトウエアキーとして参照用画面エリア４００に表示されている検索キー４０４を操作すると、それがユーザによる検索要求指示として判別され、情報編集表示装置１０は、通信ネットワーク３０を通じてネットワークサーバ２０にアクセスして、入力された検索キーワードを含む検索要求を送ると共に、自装置１０において、ローカル記憶部に記憶されているコンテンツについて検索を実行する。
【００８３】
検索要求を受信したネットワークサーバ２０は、指定された検索キーワードを用いて、コンテンツデータベース２１内のコンテンツについて検索を実行し、その検索の結果として検索キーワードに適合するとして検出されたコンテンツの識別表示情報を、情報編集表示装置１０に送ってくる。この場合に、ネットワークサーバ２０から送られてくるコンテンツの識別表示情報には、この例では、前述したように、ネットワークストレージ２２やユーザ装置２３に格納されているコンテンツの識別表示情報を含む。
【００８４】
情報編集表示装置１０は、検索要求に応じて、ネットワークサーバ２０から送られてくる検索結果のコンテンツの識別表示情報を取得すると共に、自装置１０におけるローカル記憶部１１２，１１３に対する検索結果のコンテンツの識別表示情報を取得する。
【００８５】
そして、この例では、情報編集表示装置１０は、それらの取得したコンテンツの識別表示情報を、コンテンツの種類別にグループ分けして、参照用画面エリア４００に表示する。さらに、この実施形態では、コンテンツの識別表示情報には時間情報が付随しており、情報編集表示装置１０は、コンテンツの識別表示情報を、その時間情報に基づいて時間軸方向にソートして、参照用画面エリアに並べるようにする。
【００８６】
この結果、参照用画面エリア４００には、コンテンツの格納場所が、ローカル記憶部であるか、通信ネットワーク３０を通じたネットワークサーバ２０やネットワークストレージ２２、ユーザ装置２３などであるかに関わらず、１〜複数個のコンテンツの識別表示情報が表示される。
【００８７】
図６の例は、時間情報を含まない検索キーワードが指定されて検索された場合の例で、参照用画面エリア４００には、検索結果のコンテンツの識別表示情報４０２が、コンテンツの種類ごとにグループ分けされるとともに、各グループにおいては、識別表示情報４０２が、時間順に、その時間情報と共に、並べられて表示される。
【００８８】
図７の例は、時間情報の例である年代が検索キーワードとして指定されて検索された場合の例で、検索結果のコンテンツの識別表示情報４０２が、コンテンツの種類ごとにグループ分けされ、参照用画面エリア４００に表示される。この場合においても、この例では、コンテンツ毎の時間情報に基づいて、コンテンツの識別表示情報４０２は、ソートされて時間軸に沿って順番に並べられる。
【００８９】
このときの情報編集表示装置１０の検索結果についての処理を機能ブロックを用いてブロック図として表わすと図９に示すようなものとなる。
【００９０】
すなわち、情報編集表示装置１０は、情報収集機能部１２３で、ネットワークサーバ２０から通信ネットワーク３０を通じて送られてくる検索結果のコンテンツの識別表示情報を、通信ネットワークインターフェース１０４を含むネットワークアクセス部１２１を通じて受信して取得する。情報収集機能部１２３は、また、ローカルアクセス部１２２を通じて、ローカル記憶部１１，１２（この例では、ハードディスクドライブ１１２，外部メディアドライブ１１３）から得られる検索結果のコンテンツの識別表示情報を取得する。
【００９１】
そして、情報収集機能部１２３は、収集したコンテンツの識別表示情報を情報ソート機能部１２４に送る。情報ソート機能部１２４は、収集したコンテンツをその種類別に分けると共に、分けた後のコンテンツの識別表示情報を、種類別に、時間軸方向に沿ってソートして並べる。情報ソート機能部１２４は、そのソート結果を情報表示機能部１２５に供給する。
【００９２】
情報表示機能部１２５は、情報ソート機能部１２４から受け取ったソートされた複数種類のコンテンツの識別表示情報を、ディスプレイ１１４の参照用画面エリア４００に表示するようにする。
【００９３】
以上のようにして、参照用画面エリア４００に表示されたコンテンツの識別表示情報４０２は、編集用画面エリア３００の関連情報表示欄３０５への取り込み対象とされる。そして、ユーザは、参照用画面エリア４００に表示されているコンテンツの識別表示情報４０２のうち、編集用画面エリア３００の関連情報表示欄３０５に取り込みたいコンテンツが有ったときには、この例では、参照用画面エリア４００の当該コンテンツの識別表示情報４０２をドラッグして、編集用画面エリア３００の関連情報表示欄３０５において、ドロップする操作をする。
【００９４】
すると、情報編集表示装置１０では、例えば図８に示すように、当該ユーザによるドラッグアンドドロップ操作されたコンテンツの識別表示情報をコピーして、編集用画面エリア３００の関連情報表示欄３０５において表示するようにする。つまり、参照用画面エリア４００に表示されていたコンテンツの識別表示情報を、編集用画面エリア３００内に取り込むようにする。このとき、情報編集表示装置１０は、取り込んだコンテンツの識別表示情報は、それに付随している時間情報を用いて、年代表示欄３０３に表示されている対応する年代表示の横の位置に、自動的に配置されるようにされる。
【００９５】
そして、この実施形態では、ユーザによるドラッグアンドドロップ操作されたコンテンツの識別表示情報が、ネットワークサーバ２０から送られてきたものであるときには、そのコンテンツの主データは、情報編集表示装置１０には、格納されていないものであるので、情報編集表示装置１０は、当該コンテンツの主データの取得要求をネットワークサーバ２０に送って、当該コンテンツの主データをネットワークサーバ２０から取得し、ハードディスクドライブ１１２のハードディスクなどのコンテンツ格納部に格納するようにする。
【００９６】
そして、この実施形態では、ユーザが、編集用画面エリア３００の関連情報表示欄３０５に表示されている１〜複数個のコンテンツの識別表示情報３０６のいずれかを指示する操作、例えばダブルクリック操作すると、情報編集表示装置１０は、それがＡＶコンテンツの場合には、そのコンテンツの主データをコンテンツ格納部から読み出して、再生を実行するようにする。また、ダブルクリックされたコンテンツが、写真のコンテンツである場合には、他のウィンドウを開いて、当該写真のコンテンツの主データを用いて拡大写真を表示するようにする。その他、コンテンツの種類に応じて、コンテンツの主データを用いて、当該コンテンツの内容をユーザに提供するようにする処理を行なう。
【００９７】
なお、ユーザが、参照用画面エリア４００に表示されているコンテンツの識別表示情報４０２のうち、編集用画面エリア３００の関連情報表示欄３０５に取り込みたいコンテンツが有ったときに行なう操作としては、上述の例のようなドラッグアンドドロップに限られるものではなく、コピーアンドペーストの操作や、その他の、識別表示情報をエリア４００からエリア３００への移行させることを意味する操作であればどのような操作であってもよい。
【００９８】
［第１の実施形態における処理動作の詳細例］
次に、以上説明した第１の実施形態における情報編集表示装置１０のＣＰＵ１０１が実行する処理動作および情報編集表示装置１０からの検索要求や主データの取得要求に対応するネットワークサーバ２０の処理動作を、図１０〜図１６のフローチャートを参照しながら説明する。
【００９９】
［第１の実施形態の情報編集表示装置１０の処理動作例］
ユーザが、例えば自分史を編集する場合を例にとって、第１の実施形態の情報編集表示装置１０における処理動作を、図１０〜図１４のフローチャートを参照して説明する。なお、図１０〜図１４の各ステップの処理は、情報編集表示装置１０のＣＰＵ１０１が、ＲＯＭ１０２の情報編集表示処理プログラムにしたがって、ＲＡＭ１０３をワークエリアとして用いて行なうものである。
【０１００】
ユーザが自分史編集を起動する操作をすると、ＣＰＵ１０１は、ＲＯＭ１０２から情報編集表示処理プログラムを読み出して、図１０〜図１４のフローチャートをスタートさせる。
【０１０１】
まず、情報編集表示処理プログラムが起動されると、ＣＰＵ１０１は、この例では、ディスプレイ１１４の表示画面に、自分史編集用の画面を表示する（ステップＳ１）。この場合、ディスプレイ１１４の表示画面は、前述したように、編集用画面エリア３００と、参照用画面エリア４００とに区分けされて表示されるようにされるが、初期画面においては、編集用画面エリア３００のみとされ、最初の検索要求がなされた後に、参照用画面エリア４００が表示されるようにされてもよい。
【０１０２】
ＣＰＵ１０１は、次に、編集用画面エリア３００に対する書き込み入力、すなわち、ユーザ入力情報の入力があったか否か判別し（ステップＳ２）、書き込み入力があれば、書き込まれたユーザ入力情報を、前述したように、編集用画面エリア３００の対応する時間軸位置に表示する（ステップＳ３）。
【０１０３】
ステップＳ３の後、また、ステップＳ２で、編集用画面エリア３００に対する書き込み入力が無いと判別したときには、ＣＰＵ１０１は、時間情報以外の検索キーワードで検索要求がなされたか否か判別する（ステップＳ４）。
【０１０４】
このステップＳ４で、当該検索要求があったと判別したときには、ＣＰＵ１０１は、先ず、ローカル記憶部としてのハードディスクドライブ１１２および外部メディアドライブ１１３にアクセスして、検索キーワードを用いた検索を実行する（ステップＳ５）。そして、検索結果のコンテンツの識別表示情報を、参照用画面エリア４００用のバッファに格納する（ステップＳ６）。
【０１０５】
次に、ＣＰＵ１０１は、ＲＯＭ１０２に記憶されているネットワークサーバ２０のアドレス情報を宛先アドレスとすると共に、自装置１０のアドレス情報を送信元アドレス情報として、通信ネットワーク３０を通じて、ネットワークサーバ２０にアクセスする（ステップＳ７）。そして、ＣＰＵ１０１は、ネットワークサーバ２０との間で機器認証を行なった後、ネットワークサーバ２０との間の通信路を確立する（ステップＳ８）。
【０１０６】
次に、ＣＰＵ１０１は、前記指定された検索キーワードを含む検索要求を、ネットワークサーバ２０に送信する（ステップＳ９）。そして、ＣＰＵ１０１は、この検索要求に対して、ネットワークサーバ２０から送られてくる検索結果のコンテンツの識別表示情報を受信して、参照用画面エリア用バッファに格納する（図１１のステップＳ１１）。
【０１０７】
次に、ＣＰＵ１０１は、参照用画面エリア用バッファに格納されているコンテンツの識別表示情報を、コンテンツの種類ごとに分け、当該コンテンツの種類ごとに、時間軸方向に沿ってソートを行なって並べる（ステップＳ１２）。そして、ソートされたコンテンツの種類毎のコンテンツの識別表示情報を、参照用画面エリア４００に、図６、図８に示したように、時間順に並べて表示する（ステップＳ１３）。参照用画面エリア４００は、このときに初めてディスプレイ１１４の表示画面に設けるようにしても良い。
【０１０８】
次に、ＣＰＵ１０１は、参照用画面エリア４００に表示されているコンテンツの識別表示情報のいずれかに対して、編集用画面エリア３００への移動操作（例えば前述したドラッグアンドドロップの操作）がなされたか否か判別する（ステップＳ１４）。
【０１０９】
ステップＳ１４で、参照用画面エリア４００に表示されているコンテンツの識別表示情報のいずれかに対して、編集用画面エリア３００への移動操作がなされたと判別したときには、ＣＰＵ１０１は、編集用画面エリア３００の関連情報表示欄３０５に、移動操作されたコンテンツの識別表示情報をコピーして、貼り付け表示すると共に、編集用画面エリア３００用のバッファに、当該コンテンツの識別表示情報（時間情報を含む）を格納する。このとき、前述もしたように、ＣＰＵ１０１は、当該コンテンツの識別表示情報に付随してネットワークサーバ２０から送られてくる時間情報に基づいて、その関連情報表示欄３０５における貼り付け位置を、編集用画面エリア３００の年代表示欄３０３の対応する年代表示の横の位置となるようにする（ステップＳ１５）。
【０１１０】
そして、ＣＰＵ１０１は、移動されたコンテンツの識別表示情報は、ネットワークサーバ２０から取得したものであるか否か判別する（ステップＳ１６）。ステップＳ１６で、移動されたコンテンツの識別表示情報が、ネットワークサーバ２０から取得したものであると判別したときには、ＣＰＵ１０１は、ネットワークサーバ２０に、当該移動されたコンテンツの識別表示情報が対応するコンテンツの主データの取得要求（コンテンツの識別情報ＩＤを含む）を送る（ステップＳ１７）。
【０１１１】
次に、ＣＰＵ１０１は、ネットワークサーバ２０から送られてくるコンテンツの主データを、その識別表示情報とコンテンツ識別情報ＩＤにより対応付けて、編集用画面エリア用のバッファに格納する（ステップＳ１８）。
【０１１２】
その後、ＣＰＵ１０１は、図１２のステップＳ２１に進む。また、ステップＳ１６で、移動されたコンテンツの識別表示情報が、ネットワークサーバ２０から取得したものではなく、情報編集表示装置１０のローカル記憶部に記憶され、そのローカル記憶部に当該コンテンツの主データも格納されていると判別したときにも、この図１２のステップＳ２１に進む。さらに、図１１のステップＳ１４で、参照用画面エリア４００に表示されているコンテンツの識別表示情報のいずれに対しても、編集用画面エリア３００への移動操作が無かったと判別したときにも、このステップＳ２１に進む。
【０１１３】
このステップＳ２１では、ＣＰＵ１０１は、時間情報を検索キーワードとして含む検索要求がなされたか否か判別する。
【０１１４】
このステップＳ２１で、当該検索要求があったと判別したときには、ＣＰＵ１０１は、先ず、ローカル記憶部としてのハードディスクドライブ１１２および外部メディアドライブ１１３にアクセスして、検索キーワードを用いた検索を実行する（ステップＳ２２）。そして、検索結果のコンテンツの識別表示情報を、参照用画面エリア４００用のバッファに格納する（ステップＳ２３）。
【０１１５】
次に、ＣＰＵ１０１は、ネットワークサーバ２０と接続済みであるか否か判別し（ステップＳ２４）、ネットワークサーバ２０とは接続済みではないと判別したときには、ＣＰＵ１０１は、ＲＯＭ１０２に記憶されているネットワークサーバ２０のアドレス情報を宛先アドレスとすると共に、自装置１０のアドレス情報を送信元アドレス情報として、通信ネットワーク３０を通じて、ネットワークサーバ２０にアクセスする（ステップＳ２５）。そして、ＣＰＵ１０１は、ネットワークサーバ２０との間で機器認証を行なった後、ネットワークサーバ２０との間の通信路を確立する（ステップＳ２６）。
【０１１６】
次に、ＣＰＵ１０１は、前記指定された検索キーワードを含む検索要求を、ネットワークサーバ２０に送信する（ステップＳ２７）。そして、ＣＰＵ１０１は、この検索要求に対して、ネットワークサーバ２０から送られてくる検索結果のコンテンツの識別表示情報を受信して、参照用画面エリア用バッファに格納する（ステップＳ２８）。
【０１１７】
次に、ＣＰＵ１０１は、参照用画面エリア用バッファに格納されているコンテンツの識別表示情報を、コンテンツの種類ごとに分ける（ステップＳ２９）。そして、分けられたコンテンツの種類毎のコンテンツの識別表示情報を、参照用画面エリア４００に、例えば図７に示したように並べて表示する（図１３ステップＳ３１）。このとき、検索キーワードが時間情報を含むので、コンテンツの識別表示情報に付随する時間情報を用いたソートは行なわなくても良いが、図７に示したように、詳細な時間情報に従って時間軸方向にソートしても良い。ステップＳ２１に基づく検索要求が最初の検索要求であったときには、参照用画面エリア４００は、このときに初めてディスプレイ１１４の表示画面に設けるようにしても良い。
【０１１８】
次に、ＣＰＵ１０１は、参照用画面エリア４００に表示されているコンテンツの識別表示情報のいずれかに対して、編集用画面エリア３００への移動操作（例えば前述したドラッグアンドドロップの操作）がなされたか否か判別する（ステップＳ３２）。
【０１１９】
ステップＳ３２で、参照用画面エリア４００に表示されているコンテンツの識別表示情報のいずれかに対して、編集用画面エリア３００への移動操作がなされたと判別したときには、ＣＰＵ１０１は、編集用画面エリア３００の関連情報表示欄３０５に、移動操作されたコンテンツの識別表示情報をコピーして、貼り付け表示すると共に、編集用画面エリア３００用のバッファに、当該コンテンツの識別表示情報（時間情報を含む）を格納する。このとき、前述もしたように、ＣＰＵ１０１は、当該コンテンツの識別表示情報に付随してネットワークサーバ２０から送られてくる時間情報に基づいて、その関連情報表示欄３０５における貼り付け位置を、編集用画面エリア３００の年代表示欄３０３の対応する年代表示の横の位置となるようにする（ステップＳ３３）。
【０１２０】
そして、ＣＰＵ１０１は、移動されたコンテンツの識別表示情報は、ネットワークサーバ２０から取得したものであるか否か判別する（ステップＳ３４）。ステップＳ３４で、移動されたコンテンツの識別表示情報が、ネットワークサーバ２０から取得したものであると判別したときには、ＣＰＵ１０１は、ネットワークサーバ２０に、当該移動されたコンテンツの識別表示情報が対応するコンテンツの主データの取得要求（コンテンツの識別情報ＩＤを含む）を送る（ステップＳ３５）。
【０１２１】
次に、ＣＰＵ１０１は、ネットワークサーバ２０から送られてくるコンテンツの主データを、その識別表示情報とコンテンツ識別情報ＩＤにより対応付けて、編集用画面エリア用のバッファに格納する（ステップＳ３６）。
【０１２２】
その後、ＣＰＵ１０１は、ステップＳ３７に進む。また、ステップＳ３４で、移動されたコンテンツの識別表示情報が、ネットワークサーバ２０から取得したものではなく、情報編集表示装置１０のローカル記憶部に記憶され、そのローカル記憶部に当該コンテンツの主データも格納されていると判別したときにも、このステップＳ３７に進む。さらに、ステップＳ３２で、参照用画面エリア４００に表示されているコンテンツの識別表示情報のいずれに対しても、編集用画面エリア３００への移動操作が無かったと判別したときにも、このステップＳ３７に進む。また、さらに、図１２のステップＳ２１で、時間情報を検索キーワードとして含む検索要求がなされていないと判別したときにも、このステップＳ３７に進む。
【０１２３】
このステップＳ３７では、ＣＰＵ１０１は、編集用画面エリア３００の関連情報表示欄３０５のコンテンツの識別表示情報に対する選択操作の例としてのダブルクリックがなされたか否か判別する。
【０１２４】
このステップＳ３７で、編集用画面エリア３００の関連情報表示欄３０５のコンテンツの識別表示情報に対する選択操作がなされたと判別したときには、ＣＰＵ１０１は、自装置のローカル記憶部あるいはネットワークサーバ２０から取得してコンテンツ用メモリ、例えばハードディスクドライブ１１２のハードディスクの所定のメモリエリアに格納されている、対応するコンテンツの主データを読み出して再生したり、あるいは拡大表示したりする（図１４のステップＳ４１）。前述したように、このコンテンツの主データの再生等は、別のウィンドウを開いて、そのウィンドウにおいて行なうようにすることができる。
【０１２５】
次に、ＣＰＵ１０１は、ユーザから再生終了指示があったか否か判別し（ステップＳ４２）、再生終了指示がなかったと判別したときには、コンテンツの主データが最後まで再生されて終了したか否か判別する（ステップＳ４３）。ステップＳ４３で、コンテンツの主データが最後まで再生されてはいないと判別したときには、ＣＰＵ１０１は、ステップＳ４２に戻り、再生終了指示があったか否か判別する。
【０１２６】
ステップＳ４２で、再生終了指示があったと判別したとき、また、ステップＳ４３でコンテンツの主データが最後まで再生されて終了したと判別したときには、ＣＰＵ１０１は、コンテンツの主データの拡大表示や再生を停止する（ステップＳ４４）。このとき、コンテンツの主データの再生等を別のウィンドウで行なっているときには、当該別のウィンドウを閉じる。
【０１２７】
ステップＳ４４の後、ＣＰＵ１０１は、ユーザにより自分史編集の終了指示操作があったか否か判別する（ステップＳ４５）。また、図１３のステップＳ３７で、編集用画面エリア３００の関連情報表示欄３０５のコンテンツの識別表示情報に対する選択操作がなされていないと判別したときにも、ＣＰＵ１０１は、このステップＳ４５に進んで、ユーザにより自分史編集の終了指示操作があったか否か判別する。
【０１２８】
このステップＳ４５で、自分史編集の終了指示操作はなされていないと判別したときには、ＣＰＵ１０１は、図１０のステップＳ２に戻る。また、ステップＳ４５で、自分史編集の終了指示操作はなされていないと判別したときには、ＣＰＵ１０１は、編集用画面エリア用バッファに格納されている編集データを保存するか否かの問合せのメッセージを、ディスプレイ１１４の表示画面に表示する（ステップＳ４６）。
【０１２９】
そして、ＣＰＵ１０１は、この問合せメッセージに対するユーザ操作に基づき、編集データを保存するか否かを判別する（ステップＳ４７）。このステップＳ４７で、編集データを保存すると判別したときには、ＣＰＵ１０１は、編集データの保存を実行し（ステップＳ４８）、その後、ネットワークサーバ１１との通信路が確立されている場合には、その通信路を切断して、自分史編集用の画面を閉じる（ステップＳ４９）。また、ステップＳ４７で、編集データを保存しないと判別したときには、ＣＰＵ１０１は、ステップＳ４９に進んで、ネットワークサーバ１１との通信路が確立されている場合には、その通信路を切断して、自分史編集用の画面を閉じる。
【０１３０】
［第１の実施形態のネットワークサーバ２０の処理動作例］
図１５および図１７は、この第１の実施形態の場合におけるネットワークサーバ２０の処理動作を説明するためのフローチャートである。なお、図１５および図１６の各ステップの処理は、ネットワークサーバ２０のＣＰＵ２０１が、ＲＯＭ２０２の処理プログラムにしたがって、ＲＡＭ２０３をワークエリアとして用いて行なうものである。
【０１３１】
ネットワークサーバ２０のＣＰＵ２０１は、常に、情報編集表示装置１０からのアクセスを受信したかどうかを監視する（ステップＳ５１）。そして、情報編集表示装置１０からのアクセスを受信したと判別したときには、ＣＰＵ２０１は、当該アクセスしてきた情報編集表示装置１０との間で機器認証を行なって、機器認証がＯＫであるか否か判別し（ステップＳ５２）、その結果、認証がＮＧであると判別したときには、当該認証ＮＧをアクセスしてきたコンテンツ受信端末に通知し（ステップＳ５３）、その後、ステップＳ５１に戻る。
【０１３２】
ステップＳ５２で、機器認証がＯＫであると判別したときには、ＣＰＵ２０１は、情報編集表示装置１０との間で通信路を確立する（ステップＳ５４）。そして、情報編集表示装置１０からの検索要求を監視し（ステップＳ５５）、検索要求を受信すると、当該受信した検索要求を解析する（ステップＳ５６）。
【０１３３】
そして、ＣＰＵ２０１は、検索要求に含まれる検索キーワードを用いてコンテンツデータベース２１を検索する（ステップＳ５７）。そして、ＣＰＵ２０１は、検索結果のコンテンツについての識別表示情報を、時間情報を付随させて、情報編集表示装置１０に送る（ステップＳ５８）。
【０１３４】
次に、ＣＰＵ２０１は、コンテンツの主データの取得要求を受信したか否か判別する（ステップＳ７１）。図１５のステップＳ５５で検索要求を受信していないと判別したときにも、このステップＳ７１に進んで、コンテンツの主データの取得要求を受信したか否か判別する。
【０１３５】
ステップＳ７１で、コンテンツの主データの取得要求を受信していないと判別したときには、ＣＰＵ２０１は、ステップＳ５５に戻り、検索要求を受信していないか否か判別する。
【０１３６】
また、ステップＳ７１で、コンテンツの主データの取得要求を受信したと判別したときには、ＣＰＵ２０１は、要求されたコンテンツの主データについてコンテンツデータベース２１を検索する（ステップＳ７２）。そして、ＣＰＵ２０１は、要求されたコンテンツの主データは、コンテンツデータベース２１に在るか否か判別する（ステップＳ７３）。
【０１３７】
ステップＳ７３で、要求されたコンテンツの主データは、コンテンツデータベース２１に在ると判別したときには、ＣＰＵ２０１は、要求されたコンテンツの主データをコンテンツデータベース２１から読み出して情報編集表示装置１０に送る（ステップＳ７４）。
【０１３８】
そして、ＣＰＵ２０１は、情報編集表示装置１０との通信路の切断要求を受信したか否か判別し（ステップＳ７７）、通信路の切断要求は受信していないと判別したときには、ステップＳ５５に戻り、検索要求の受信を監視する。情報編集表示装置１０との通信路の切断要求を受信したと判別したときには、ＣＰＵ２０１は、通信路を切断する処理を行ない（ステップＳ７８）、この処理ルーチンを終了する。
【０１３９】
また、ステップＳ７３で、要求されたコンテンツの主データは、コンテンツデータベース２１にはないと判別したときには、ＣＰＵ２０１は、要求されたコンテンツの主データが格納されているネットワークストレージ２２やユーザ装置２３に対して、当該コンテンツの主データの取得要求を転送する（ステップＳ７５）。
【０１４０】
そして、ＣＰＵ２０１は、ネットワークストレージ２２やユーザ装置２３から送られてくるコンテンツの主データを取得し、その取得したコンテンツの主データを、情報編集表示装置１０に転送する（ステップＳ７６）。その後、ステップＳ７７に進む。
【０１４１】
なお、ステップＳ７３で要求されたコンテンツの主データは、コンテンツデータベース２１にはないと判別したときには、ＣＰＵ２０１は、要求されたコンテンツの主データが格納されているネットワークストレージ２２やユーザ装置２３に対して、当該コンテンツの主データを、情報編集表示装置１０に送るようにする指示を送るようにしてもよい。
【０１４２】
また、上述の第１の実施形態の説明においては、自分史編集処理をした編集データは、情報編集表示装置１０に格納して、外部には公開しないようにしたが、ユーザが、ネットワークサーバ２０に対して、編集データの公開を伝えることにより、ネットワークサーバ２０により、情報編集表示装置１０に格納されている編集データを公開するようにすることもできる。
【０１４３】
すなわち、ユーザがネットワークサーバ２０に対して、編集データの公開を伝えた場合には、ネットワークサーバ２０は、サーバ２０に内蔵される、あるいは、ネットワークストレージなどに設けられる自分史公開情報格納部に、自分史編集データが公開される情報編集表示装置１０の識別情報および通信ネットワーク上のアドレスを記憶しておくと共に、公開される自分史編集データのリストを他のユーザに伝えることにより、他のユーザのアクセス要求に応じて公開をさせることができる。
【０１４４】
［第２の実施形態］
上述した第１の実施形態では、情報編集表示装置１０に情報編集表示処理プログラムが予めＲＯＭ１０２やハードディスクに格納されている場合であって、編集データも情報編集表示装置１０に格納される場合である。
【０１４５】
これに対して、第２の実施の形態では、情報編集表示装置１０には、情報編集表示処理プログラムは保持されておらず、ネットワークサーバ２０にアクセスして、ネットワークサーバ２０に自分史編集要求をすることにより、情報編集表示処理プログラムを取得することができる場合である。
【０１４６】
情報編集表示装置１０およびネットワークサーバ２０を含むシステム構成および情報編集表示装置１０およびネットワークサーバ２０のハードウエア構成例は、この第２の実施形態においても前述した第１の実施形態と同様であるので、ここでは、その説明は省略する。
【０１４７】
この第２の実施形態と第１の実施形態とで異なるのは、情報編集表示装置１０およびネットワークサーバ２０のそれぞれで実行されるソフトウエア処理である。つまり、情報編集表示装置１０およびネットワークサーバ２０のＲＯＭ１０２および２０２が備えるソフトウエアプログラムが第１の実施形態の場合とは異なる。
【０１４８】
この場合、編集後の自分史編集データは、情報編集表示装置１０が、その内蔵するメモリ部あるいはローカル記憶部に格納するようにしてもよいし、また、ネットワークサーバ２０が内蔵するメモリ部あるいはネットワークストレージ２２に格納するようにしても良い。
【０１４９】
そして、この第２の実施の形態では、情報編集表示装置１０のユーザは、編集データを保存する際には、編集データを公開するか、非公開とするかを、ネットワークサーバ２０に伝えるようにする。ネットワークサーバ２０は、内蔵するメモリ部やネットワークストレージ２２に格納する編集データに、公開できるか否かのフラグを付加して記憶する。そして、公開できるとされた自分史編集データは、そのリストをネットワークを通じてユーザに提供するなどして、公開することができるようにする。
【０１５０】
この第２の実施形態における情報編集表示装置１０およびネットワークサーバ２０における処理動作を、図１７〜図２４のフローチャートを参照しながら説明する。
【０１５１】
［情報編集表示装置１０の処理動作例］
図１７〜図２１は、第２の実施形態の情報編集表示装置１０処理動作の例を説明するためのフローチャートである。この図１７〜図２１の各ステップの処理は、情報編集表示装置１０のＣＰＵ１０１が、ＲＯＭ１０２の情報編集表示処理プログラムにしたがって、ＲＡＭ１０３をワークエリアとして用いて行なうものである。
【０１５２】
この例では、ユーザが自分史編集を起動する操作をすると、ＣＰＵ１０１は、ＲＯＭ１０２に記憶されているネットワークサーバ２０のアドレス情報を宛先アドレスとすると共に、自装置１０のアドレス情報を送信元アドレス情報として、通信ネットワーク３０を通じて、ネットワークサーバ２０に自分史編集要求のアクセスをする（ステップＳ９１）。
【０１５３】
そして、ＣＰＵ１０１は、ネットワークサーバ２０との間で機器認証を行なって、ネットワークサーバ２０から機器認証ＯＫを受け取ったか否か判別し（ステップＳ９２）、機器認証ＯＫを受け取らず、機器認証がＮＧであるときには、利用者に機器認証ＮＧのため再度アクセスすることを通知して（ステップＳ９３）、ステップＳ９１に戻り、ネットワークサーバ２０に再アクセスする。
【０１５４】
ステップＳ９２で、機器認証がＯＫであると判別すると、ＣＰＵ１０１は、ネットワークサーバ２０との間の通信路を確立する（ステップＳ９４）。この実施形態では、情報編集表示装置１０は、ネットワークサーバ２０にアクセスして通信路を確立した後は、自分史編集終了まで、ネットワークサーバ２０と確立した通信路を通じて常時接続されている状態となる。
【０１５５】
次に、ＣＰＵ１０１は、ネットワークサーバ２０から自分史編集用のプログラムおよび、当該自分史編集要求のアクセスが初回でなければ過去の編集データが送られてくるので、それを受信し、自分史編集用プログラムを起動し、ディスプレイ１１４の表示画面に自分史編集用画面を表示し、編集データがあれば、それを編集用画面エリア３００に表示する。
【０１５６】
なお、情報編集表示装置１０は、ネットワークサーバ２０に対して事前にアクセスして、自分史編集のための初期登録を行なって、自装置１０の識別情報や通信ネットワーク３０上のアドレス、ユーザ名など必要な事項を登録しておくものである。そして、編集用画面エリアにおいて、編集する自分史として、誰の自分史を作成するかを登録する。つまり、自分史は、ユーザ本人の自分史ではなく、架空の人物の自分史を作成するようにすることもできる。
【０１５７】
ネットワークサーバ２０は、この初期登録がなしたユーザの情報編集表示装置１０からの自分史編集要求を受け取ったときに、当該ユーザの情報編集表示装置１０に、自分史編集用のプログラムおよび編集データ（最初は、誰の自分史であるか、誕生日が何時であるかがデータとして含まれているだけである場合もある）を送るようにする。
【０１５８】
なお、ステップＳ９５で表示された自分史編集用の表示画面は、第１の実施形態と全く同様のものであり、前述したように、編集用画面エリア３００と、参照用画面エリア４００とに区分けされて表示されるようにされる。
【０１５９】
ＣＰＵ１０１は、次に、編集用画面エリア３００に対する書き込み入力、すなわち、ユーザ入力情報の入力があったか否か判別し（ステップＳ９６）、書き込み入力があれば、書き込まれたユーザ入力情報を、前述したように、編集用画面エリア３００の対応する時間軸位置に表示する（ステップＳ９７）。
【０１６０】
ステップＳ９７の後、また、ステップＳ９６で、編集用画面エリア３００に対する書き込み入力が無いと判別したときには、ＣＰＵ１０１は、時間情報以外の検索キーワードで検索要求がなされたか否か判別する（ステップＳ９８）。
【０１６１】
このステップＳ９８で、当該検索要求があったと判別したときには、ＣＰＵ１０１は、先ず、ローカル記憶部としてのハードディスクドライブ１１２および外部メディアドライブ１１３にアクセスして、検索キーワードを用いた検索を実行する（ステップＳ９９）。そして、検索結果のコンテンツの識別表示情報を、参照用画面エリア４００用のバッファに格納する（ステップＳ１００）。
【０１６２】
次に、ＣＰＵ１０１は、前記指定された検索キーワードを含む検索要求を、ネットワークサーバ２０に送信する（図１８のステップＳ１１１）。そして、ＣＰＵ１０１は、この検索要求に対して、ネットワークサーバ２０から送られてくる検索結果のコンテンツの識別表示情報を受信して、参照用画面エリア用バッファに格納する（ステップＳ１１２）。
【０１６３】
次に、ＣＰＵ１０１は、参照用画面エリア用バッファに格納されているコンテンツの識別表示情報を、コンテンツの種類ごとに分け、当該コンテンツの種類ごとに、時間軸方向に沿ってソートを行なって並べる（ステップＳ１１３）。そして、ソートされたコンテンツの種類毎のコンテンツの識別表示情報を、参照用画面エリア４００に、図６、図８に示したように、時間順に並べて表示する（ステップＳ１１４）。参照用画面エリア４００は、このときに初めてディスプレイ１１４の表示画面に設けるようにしても良い。
【０１６４】
次に、ＣＰＵ１０１は、参照用画面エリア４００に表示されているコンテンツの識別表示情報のいずれかに対して、編集用画面エリア３００への移動操作（例えば前述したドラッグアンドドロップの操作）がなされたか否か判別する（ステップＳ１１５）。
【０１６５】
ステップＳ１１５で、参照用画面エリア４００に表示されているコンテンツの識別表示情報のいずれかに対して、編集用画面エリア３００への移動操作がなされたと判別したときには、ＣＰＵ１０１は、編集用画面エリア３００の関連情報表示欄３０５に、移動操作されたコンテンツの識別表示情報をコピーして、貼り付け表示すると共に、編集用画面エリア３００用のバッファに、当該コンテンツの識別表示情報（時間情報を含む）を格納する。このとき、前述もしたように、ＣＰＵ１０１は、当該コンテンツの識別表示情報に付随してネットワークサーバ２０から送られてくる時間情報に基づいて、その関連情報表示欄３０５における貼り付け位置を、編集用画面エリア３００の年代表示欄３０３の対応する年代表示の横の位置となるようにする（ステップＳ１１６）。
【０１６６】
次に、ＣＰＵ１０１は、時間情報を検索キーワードとして含む検索要求がなされたか否か判別する（ステップＳ１１７）。また、ステップＳ１１５で、参照用画面エリア４００に表示されているコンテンツの識別表示情報のいずれに対しても、編集用画面エリア３００への移動操作が無かったと判別したときにも、このステップＳ１１７に進む。さらに、図１７のステップＳ９８で、時間情報以外のキーワードで検索要求はされていないと判別したときにも、このステップＳ１１７に進む。
【０１６７】
このステップＳ１１７で、当該検索要求はなかったと判別したときには、ＣＰＵ１０１は、図１７のステップＳ９６に戻る。また、このステップＳ１１７で、当該検索要求があったと判別したときには、ＣＰＵ１０１は、先ず、ローカル記憶部としてのハードディスクドライブ１１２および外部メディアドライブ１１３にアクセスして、検索キーワードを用いた検索を実行する（ステップＳ１１８）。そして、検索結果のコンテンツの識別表示情報を、参照用画面エリア４００用のバッファに格納する（ステップＳ１１９）。
【０１６８】
次に、ＣＰＵ１０１は、ＲＯＭ１０２に記憶されているネットワークサーバ２０のアドレス情報を宛先アドレスとすると共に、自装置１０のアドレス情報を送信元アドレス情報として、通信ネットワーク３０を通じて、ネットワークサーバ２０に検索要求を送る（図１９のステップＳ１２１）。そして、ＣＰＵ１０１は、この検索要求に対して、ネットワークサーバ２０から送られてくる検索結果のコンテンツの識別表示情報を受信して、参照用画面エリア用バッファに格納する（ステップＳ１２２）。
【０１６９】
次に、ＣＰＵ１０１は、参照用画面エリア用バッファに格納されているコンテンツの識別表示情報を、コンテンツの種類ごとに分ける（ステップＳ１２３）。そして、分けられたコンテンツの種類毎のコンテンツの識別表示情報を、参照用画面エリア４００に、例えば図７に示したように並べて表示する（ステップＳ１２４）。このとき、検索キーワードが時間情報を含むので、コンテンツの識別表示情報に付随する時間情報を用いたソートは行なわなくても良いが、図７に示したように、詳細な時間情報に従って時間軸方向にソートしても良い。ステップＳ２１に基づく検索要求が最初の検索要求であったときには、参照用画面エリア４００は、このときに初めてディスプレイ１１４の表示画面に設けるようにしても良い。
【０１７０】
次に、ＣＰＵ１０１は、参照用画面エリア４００に表示されているコンテンツの識別表示情報のいずれかに対して、編集用画面エリア３００への移動操作（例えば前述したドラッグアンドドロップの操作）がなされたか否か判別する（ステップＳ１２５）。
【０１７１】
ステップＳ１２５で、参照用画面エリア４００に表示されているコンテンツの識別表示情報のいずれかに対して、編集用画面エリア３００への移動操作がなされたと判別したときには、ＣＰＵ１０１は、編集用画面エリア３００の関連情報表示欄３０５に、移動操作されたコンテンツの識別表示情報をコピーして、貼り付け表示すると共に、編集用画面エリア３００用のバッファに、当該コンテンツの識別表示情報（時間情報を含む）を格納する。このとき、前述もしたように、ＣＰＵ１０１は、当該コンテンツの識別表示情報に付随してネットワークサーバ２０から送られてくる時間情報に基づいて、その関連情報表示欄３０５における貼り付け位置を、編集用画面エリア３００の年代表示欄３０３の対応する年代表示の横の位置となるようにする（ステップＳ１２６）。
【０１７２】
次に、ＣＰＵ１０１は、編集用画面エリア３００の関連情報表示欄３０５のコンテンツの識別表示情報に対する選択操作の例としてのダブルクリックがなされたか否か判別する（ステップＳ１２７）。
【０１７３】
このステップＳ１２７で、編集用画面エリア３００の関連情報表示欄３０５のコンテンツの識別表示情報に対する選択操作がなされたと判別したときには、ＣＰＵ１０１は、選択操作された識別表示情報のコンテンツは、ローカル記憶部に格納されているコンテンツであるか否か判別する（図２０のステップＳ１３１）。
【０１７４】
このステップＳ１３１で、選択操作された識別表示情報のコンテンツは、ローカル記憶部に格納されていると判別したときには、ＣＰＵ１０１は、自装置のローカル記憶部から、識別表示情報が選択操作されたコンテンツの主データを読み出して再生したり、あるいは拡大表示したりする（ステップＳ１３２）。前述したように、このコンテンツの主データの再生等は、別のウィンドウを開いて、そのウィンドウにおいて行なうようにすることができる。
【０１７５】
また、ステップＳ１３１で、選択操作された識別表示情報のコンテンツは、ローカル記憶部に格納されているものではなく、ネットワークサーバ２０から取得したものであると判別したときには、ＣＰＵ１０１は、ネットワークサーバ２０に対応コンテンツの主データの取得要求を送る（ステップＳ１３３）。そして、ＣＰＵ１０１は、ネットワークサーバ２０から対応コンテンツの主データを取得し、ストリーミング再生したり、あるいは拡大表示したりする（ステップＳ１３４）。前述したように、このコンテンツの主データのストリーミング再生等は、別のウィンドウを開いて、そのウィンドウにおいて行なうようにすることができる。
【０１７６】
次に、ＣＰＵ１０１は、ユーザから再生終了指示があったか否か判別し（図２１のステップＳ１４１）、再生終了指示がなかったと判別したときには、コンテンツの主データが最後まで再生されて終了したか否か判別する（ステップＳ１４２）。ステップＳ１４２で、コンテンツの主データが最後まで再生されてはいないと判別したときには、ＣＰＵ１０１は、ステップＳ１４１に戻り、再生終了指示があったか否か判別する。
【０１７７】
ステップＳ１４１で、再生終了指示があったと判別したとき、また、ステップＳ１４２でコンテンツの主データが最後まで再生されて終了したと判別したときには、ＣＰＵ１０１は、コンテンツの主データの拡大表示や再生を停止する（ステップＳ１４３）。このとき、コンテンツの主データの再生等を、ネットワークサーバ２０からのデータにより行なっている場合には、ネットワークサーバ２０に再生停止を通知すると共に、別のウィンドウで行なっているときには、当該別のウィンドウを閉じる。
【０１７８】
ステップＳ１４３の後、ＣＰＵ１０１は、ユーザにより自分史編集の終了指示操作があったか否か判別する（ステップＳ４５）。また、図１９のステップＳ３７で、編集用画面エリア３００の関連情報表示欄３０５のコンテンツの識別表示情報に対する選択操作がなされていないと判別したときにも、ＣＰＵ１０１は、このステップＳ１４４に進んで、ユーザにより自分史編集の終了指示操作があったか否か判別する。さらに、ステップＳ１２７で、編集用画面エリア３００の関連情報表示欄３０５のコンテンツの識別表示情報に対する選択操作がなされてはいないと判別したときにも、ＣＰＵ１０１は、このステップＳ１４４に進んで、ユーザにより自分史編集の終了指示操作があったか否か判別する。
【０１７９】
このステップＳ１４４で、自分史編集の終了指示操作はなされていないと判別したときには、ＣＰＵ１０１は、図１７のステップＳ９６に戻る。また、ステップＳ１４４で、自分史編集の終了指示操作はなされていないと判別したときには、ＣＰＵ１０１は、編集用画面エリア用バッファに格納されている編集データを保存するか否かの問合せのメッセージを、ディスプレイ１１４の表示画面に表示する（ステップＳ１４５）。なお、この問合せメッセージには、この実施形態では、編集データを公開するか否かを問い合わせるメッセージも併せて表示されている。
【０１８０】
そして、ＣＰＵ１０１は、この問合せメッセージに対するユーザ操作に基づき、編集データを保存するか否かを判別する（ステップＳ１４６）。このステップＳ１４６で、編集データを保存すると判別したときには、ＣＰＵ１０１は、編集データの保存を実行する（ステップＳ１４７）。このとき、ユーザにより編集データを公開するか否かの入力に応じて、保存した編集データに、公開するかどうかのフラグ情報を付加して記憶するようにする。
【０１８１】
その後、ＣＰＵ１０１は、ネットワークサーバ２０から、編集データの保存完了通知を受信するのを待ち（ステップＳ１４８）、ネットワークサーバ２０からの編集データの保存完了通知の受信を確認したら、ＣＰＵ１０１は、ネットワークサーバ２０との通信路を切断して（ステップＳ１４９）、自分史編集用の画面を閉じる（ステップＳ１５０）。
【０１８２】
また、ステップＳ１４６で、編集データを保存しないと判別したときには、ＣＰＵ１０１は、ステップＳ１４９に進んで、ネットワークサーバ２０との通信路を切断して、自分史編集用の画面を閉じる（ステップＳ１５０）。
【０１８３】
［第２の実施形態のネットワークサーバ２０の処理動作例］
図２２〜図２４は、この第２の実施形態の場合におけるネットワークサーバ２０の処理動作を説明するためのフローチャートである。なお、図２２〜図２４の各ステップの処理は、ネットワークサーバ２０のＣＰＵ２０１が、ＲＯＭ２０２の処理プログラムにしたがって、ＲＡＭ２０３をワークエリアとして用いて行なうものである。
【０１８４】
なお、以下の例では、第１の実施形態とは異なり、ネットワークストレージ２２やユーザ装置２３のコンテンツの主データがあるときには、そのコンテンツの識別表示情報も、これらネットワークストレージ２２やユーザ装置２３に記憶されており、コンテンツデータベース２１には、それらのコンテンツの属性情報と、そのコンテンツの格納場所としてのネットワークストレージ２２やユーザ装置２３のアドレス情報が記憶されているものとしている。
【０１８５】
ネットワークサーバ２０のＣＰＵ２０１は、常に、情報編集表示装置１０からの自分史編集要求アクセスを受信したかどうかを監視する（ステップＳ１６１）。そして、情報編集表示装置１０からの自分史編集要求アクセスを受信したと判別したときには、ＣＰＵ２０１は、当該アクセスしてきた情報編集表示装置１０との間で機器認証を行なって、機器認証がＯＫであるか否か判別し（ステップＳ１６２）、その結果、認証がＮＧであると判別したときには、当該認証ＮＧをアクセスしてきたコンテンツ受信端末に通知し（ステップＳ１６３）、その後、ステップＳ１６１に戻る。
【０１８６】
ステップＳ１６２で、機器認証がＯＫであると判別したときには、ＣＰＵ２０１は、情報編集表示装置１０との間で通信路を確立する（ステップＳ１６４）。そして、ＣＰＵ２０１は、自分史編集要求アクセスしてきた情報編集表示装置１０に自分史編集用プログラムおよび編集データを送る（ステップＳ１６５）。
【０１８７】
その後、ＣＰＵ２０１は、情報編集表示装置１０からの検索要求を監視し（ステップＳ１６６）、検索要求を受信すると、当該受信した検索要求を解析する（ステップＳ１６７）。
【０１８８】
そして、ＣＰＵ２０１は、検索要求に含まれる検索キーワードを用いてコンテンツデータベース２１を検索する（図２３のステップＳ１７１）。そして、ＣＰＵ２０１は、検索結果のコンテンツについての識別表示情報を、時間情報を付随させて、情報編集表示装置１０に送る（ステップＳ１７２）。
【０１８９】
次に、この実施形態では、ＣＰＵ２０１は、コンテンツデータベース２１以外のネットワークストレージ２２やユーザ装置２３に検索結果のコンテンツが存在しているか否かを判別する（ステップＳ１７３）。
【０１９０】
ステップＳ１７３で、コンテンツデータベース２１以外のネットワークストレージ２２やユーザ装置２３に検索結果のコンテンツが存在していると判別したときには、ＣＰＵ２０１は、それらのネットワークストレージ２２やユーザ装置２３に、情報編集表示装置１０から受け取った検索キーワードを渡し（ステップＳ１７４）、その結果、ネットワークストレージ２２やユーザ装置２３から送られてくる検索結果のコンテンツの識別表示情報を受信し、受信したコンテンツの識別表示情報を情報編集表示装置１０に送る（ステップＳ１７５）。
【０１９１】
その後、ＣＰＵ２０１は、コンテンツの主データの取得要求を受信したか否か判別する（ステップＳ１７６）。ステップＳ１７３で、コンテンツデータベース２１以外のネットワークストレージ２２やユーザ装置２３に検索結果のコンテンツが存在していないと判別したときにも、このステップＳ１７６に進む。また、図２２のステップＳ６６で検索要求を受信していないと判別したときにも、このステップＳ７１に進んで、コンテンツの主データの取得要求を受信したか否か判別する。
【０１９２】
ステップＳ１７６で、コンテンツの主データの取得要求を受信したと判別したときには、ＣＰＵ２０１は、要求されたコンテンツの主データについてコンテンツデータベース２１を検索する（ステップＳ１７７）。そして、ＣＰＵ２０１は、要求されたコンテンツの主データは、コンテンツデータベース２１に在るか否か判別する（図２４のステップＳ１８１）。
【０１９３】
ステップＳ１８１で、要求されたコンテンツの主データは、コンテンツデータベース２１に在ると判別したときには、ＣＰＵ２０１は、要求されたコンテンツの主データをコンテンツデータベース２１から読み出して情報編集表示装置１０に送る（ステップＳ１８２）。
【０１９４】
また、ステップＳ１８１で、要求されたコンテンツの主データは、コンテンツデータベース２１にはないと判別したときには、ＣＰＵ２０１は、要求されたコンテンツの主データが格納されているネットワークストレージ２２やユーザ装置２３に対して、当該コンテンツの主データの取得要求を転送する（ステップＳ１８３）。
【０１９５】
そして、ＣＰＵ２０１は、ネットワークストレージ２２やユーザ装置２３から送られてくるコンテンツの主データを取得し、その取得したコンテンツの主データを、情報編集表示装置１０に転送する（ステップＳ１８４）。
【０１９６】
そして、ステップＳ１８２、ステップＳ１８４の後は、ステップＳ１８５に進み、ＣＰＵ２０１は、情報編集表示装置１０から編集データの保存要求を受信したか否かを判別する（ステップＳ１８５）。
【０１９７】
ステップＳ１８５で、情報編集表示装置１０から編集データの保存要求を受信したと判別したときには、ＣＰＵ２０１は、情報編集表示装置１０の識別情報ＩＤに対応させて、編集データを所定の記憶部に記憶するようにする。その際、保存要求に含まれる編集データの公開、非公開の情報を取得して、公開、非公開のフラグを併せて記憶する（ステップＳ１８６）。
【０１９８】
そして、ステップＳ１８６での保存処理が完了したら、ＣＰＵ２０１は、情報編集表示装置１０に保存完了通知を送る（ステップＳ１８７）。
【０１９９】
ステップＳ１８７で保存完了通知の送出をした後、ＣＰＵ２０１は、情報編集表示装置１０との通信路の切断要求を受信したか否か判別する（ステップＳ１８８）。ステップＳ１８５で、情報編集表示装置１８５から編集データの保存要求を受信してはいないと判別したときにも、ＣＰＵ２０１は、ステップＳ１８８に進んで、情報編集表示装置１０との通信路の切断要求を受信したか否か判別する。
【０２００】
ステップＳ１８８で、通信路の切断要求は受信していないと判別したときには、ＣＰＵ２０１は、ステップＳ１６６に戻り、検索要求の受信を監視する。ステップＳ１８８で、情報編集表示装置１０との通信路の切断要求を受信したと判別したときには、ＣＰＵ２０１は、通信路を切断する処理を行ない（ステップＳ１８９）、この処理ルーチンを終了する。
【０２０１】
［実施形態における変形例］
なお、上述の実施形態では、編集用画面エリア３００の関連情報表示欄３０５に表示されているコンテンツの識別表示情報をダブルクリック等の当該コンテンツを選択する操作をしたときに、当該コンテンツの主データを用いた再生や拡大処理などを行なうようにしたが、参照用画面エリア４００にあるコンテンツの識別表示情報を、例えばダブルクリックなどの操作により選択操作をしたときにも、当該コンテンツの主データを用いた再生や拡大処理を行なえるようにしても良い。
【０２０２】
その場合において、コンテンツの識別表示情報が、ネットワークサーバ２０から取得したものであるときには、そのコンテンツの主データは、情報編集表示装置１０には、未だ格納されていない。そこで、情報編集表示装置１０は、例えば選択操作されたコンテンツが音楽コンテンツやＡＶコンテンツであるときには、ネットワークサーバ２０に、当該コンテンツの主データの再生要求等を送り、それに対応して送られてくるコンテンツの主データを用いて、ストリーミング再生をするようにする。また、選択操作されたコンテンツが写真のコンテンツであったときには、その主データをネットワークサーバ２０から受信して、拡大表示するようにする。
【０２０３】
この場合において、情報編集表示装置１０は、再生したり、拡大表示したりするために取得したコンテンツの主データをコンテンツ格納部に格納して、その後、再生したり、拡大表示したりすることもできるが、編集用画面エリア３００に未だ取り込んでいないコンテンツは、ユーザは、試みに再生したり、拡大表示したりするものであるので、保存する必要がない場合も多いと考えられ、この例では、上述したように、編集用画面エリア３００に取り込んだコンテンツについてのみ、その主データを取り込むようにしている。
【０２０４】
上述の第２の実施形態の、ネットワークサーバ２０からプログラムを取得する例において、編集対象は、ブログ（ウエブログ）として、このブログを編集する際に、上述したこの発明を適用することができる。
【０２０５】
上述の実施形態では、ネットワークサーバ２０が中継装置として働いて、情報編集表示装置と、ネットワークストレージやユーザ装置との間で、データのやり取りをするようにしたが、ネットワークサーバ２０が情報編集表示装置１０およびネットワークストレージ、ユーザ装置に対して、通信相手のアドレスを教えることにより、情報編集表示装置１０と、ネットワークストレージあるいはユーザ装置との間で、直接データの授受をするようにすることもできる。ただし、その場合には、情報編集表示装置１０は、サーバとの通信路を切断した後、ネットワークストレージあるいはユーザ装置との間で、通信路を生成したり、サーバとの接続中であっても、他の装置と接続が可能なように、別の回線網を備えておき、その別の回線網を用いて、ネットワークストレージあるいはユーザ装置との間で、通信路を生成したりする必要がある。
【０２０６】
また、情報編集表示装置１０が、最初から検索要求を、ネットワークサーバ２０のみでなく、登録されたネットワークストレージやコンテンツの公開を許可しているユーザ装置に対して発行するようにしてもよい。
【０２０７】
また、上述の実施形態では、参照用画面エリアには、コンテンツの種別単位で、コンテンツの識別表示情報の一覧を表示するようにしたが、複数種のコンテンツの識別表示情報を、時間軸に沿って、同時に表示するようにしても良い。その場合の例を図２５に示す。この図２５の例では、検索結果として、音楽コンテンツの識別表示情報が、例えばレコードジャケット、ＣＤジャケット、などが表示欄４１１に表示され、映画のコンテンツの識別表示情報が、それぞれサムネイルにより表示欄４１２に表示され、ローカル記憶部に格納されているコンテンツの識別表示情報が表示欄４１３に表示され、ユーザ装置２３として友人が所有しているコンテンツの識別表示情報が表示欄４１４に表示されている。
【０２０８】
なお、通信ネットワーク３０は、インターネットに限られるものではなく、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、専用線ネットワークであってもよい。また、有線ネットワーク（光ケーブルネットワークを含む）に限らず、無線ネットワークあるいは有線ネットワークと無線ネットワークとの結合であっても良い。
【０２０９】
なお、上述の実施形態では、時間情報として年代情報のみを検索キーワードとする場合について説明したが、年代のみでなく、月、日および時、分、秒をも検索キーワードに含めるようにしてもよいことは言うまでもない。
【０２１０】
また、検索キーワードは、時間情報と時間情報以外のキーワードの両方を含むようにしても良いことは言うまでもない。
【図面の簡単な説明】
【０２１１】
【図１】この発明による情報処理システムの実施形態の概要を説明するための図である。
【図２】この発明による情報処理システムの実施形態におけるコンテンツの格納態様を説明するための図である。
【図３】この発明による情報処理システムの実施形態におけるネットワークサーバが備えるコンテンツデータベースに格納されるコンテンツについての属性情報の例を示す図である。
【図４】この発明による情報編集表示装置の実施形態のハードウエア構成例を示す図である。
【図５】この発明によるサーバの実施形態のハードウエア構成例を示す図である。
【図６】この発明による情報編集表示装置の実施形態における表示画面の例を示す図である。
【図７】この発明による情報編集表示装置の実施形態における表示画面の例を示す図である。
【図８】この発明による情報編集表示装置の実施形態における表示画面の例を示す図である。
【図９】この発明による情報編集表示装置の実施形態の主要部の機能ブロック図である。
【図１０】この発明による情報編集表示装置の第１の実施形態の処理動作を説明するためのフローチャートの一部である。
【図１１】この発明による情報編集表示装置の第１の実施形態の処理動作を説明するためのフローチャートの一部である。
【図１２】この発明による情報編集表示装置の第１の実施形態の処理動作を説明するためのフローチャートの一部である。
【図１３】この発明による情報編集表示装置の第１の実施形態の処理動作を説明するためのフローチャートの一部である。
【図１４】この発明による情報編集表示装置の第１の実施形態の処理動作を説明するためのフローチャートの一部である。
【図１５】この発明によるサーバの第１の実施形態の処理動作を説明するためのフローチャートの一部である。
【図１６】この発明によるサーバの第１の実施形態の処理動作を説明するためのフローチャートの一部である。
【図１７】この発明による情報編集表示装置の第２の実施形態の処理動作を説明するためのフローチャートの一部である。
【図１８】この発明による情報編集表示装置の第２の実施形態の処理動作を説明するためのフローチャートの一部である。
【図１９】この発明による情報編集表示装置の第２の実施形態の処理動作を説明するためのフローチャートの一部である。
【図２０】この発明による情報編集表示装置の第２の実施形態の処理動作を説明するためのフローチャートの一部である。
【図２１】この発明による情報編集表示装置の第２の実施形態の処理動作を説明するためのフローチャートの一部である。
【図２２】この発明によるサーバの第２の実施形態の処理動作を説明するためのフローチャートの一部である。
【図２３】この発明によるサーバの第２の実施形態の処理動作を説明するためのフローチャートの一部である。
【図２４】この発明によるサーバの第２の実施形態の処理動作を説明するためのフローチャートの一部である。
【図２５】この発明による情報編集表示装置の実施形態における表示画面の他の例を示す図である。
【符号の説明】
【０２１２】
１０…情報編集表示装置、２０…ネットワークサーバ、１１，１２…ローカル記憶部、２１…コンテンツデータベース、２２…ネットワークストレージ、２３…ユーザ装置、３０…通信ネットワーク
【図１】
2007047959.tif 000003
【図２】
2007047959.tif 000004
【図３】
2007047959.tif 000005
【図４】
2007047959.tif 000006
【図５】
2007047959.tif 000007
【図６】
2007047959.tif 000008
【図７】
2007047959.tif 000009
【図８】
2007047959.tif 000010
【図９】
2007047959.tif 000011
【図１０】
2007047959.tif 000012
【図１１】
2007047959.tif 000013
【図１２】
2007047959.tif 000014
【図１３】
2007047959.tif 000015
【図１４】
2007047959.tif 000016
【図１５】
2007047959.tif 000017
【図１６】
2007047959.tif 000018
【図１７】
2007047959.tif 000019
【図１８】
2007047959.tif 000020
【図１９】
2007047959.tif 000021
【図２０】
2007047959.tif 000022
【図２１】
2007047959.tif 000023
【図２２】
2007047959.tif 000024
【図２３】
2007047959.tif 000025
【図２４】
2007047959.tif 000026
【図２５】
2007047959.tif 000027
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
編集用画面エリアと参照用画面エリアとを用いて、情報の編集を行なう情報編集表示装置において、
ユーザの入力操作を受け付ける操作手段と、
前記操作手段で受け付けられた前記ユーザの入力操作に応じた入力情報を前記編集用画面エリアに表示する編集入力手段と、
前記操作手段で受け付けられた入力操作に基づいて指定された検索キーワードを含む検索要求を、ネットワークを通じて情報提供サーバに送る検索要求手段と、
前記検索要求手段による前記検索要求に基づいて前記情報提供サーバから送られてくる情報を受信し、当該受信した情報を識別するための識別表示情報を前記参照用画面エリアに表示する検索結果表示手段と、
前記参照用画面エリアに表示されている前記識別表示情報に対して、前記参照用画面エリアから前記編集用画面エリアへの取り込み指示があったか否かを判別する指示判別手段と、
前記指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む情報移行手段と、
を備えることを特徴とする情報編集表示装置。
【請求項２】
請求項１に記載の情報編集表示装置において、
前記情報提供サーバから送られてくる情報には、時間情報が付随されており、前記検索結果表示手段は、前記受信した情報を識別するための識別表示情報を、前記時間情報に基づいて時間順に並べて前記参照用画面エリアに表示する
ことを特徴とする情報編集表示装置。
【請求項３】
請求項１に記載の情報編集表示装置において、
前記編集用画面エリアには、時間情報に関連付けられて前記入力情報が入力されて表示されており、
前記検索キーワードには時間情報が含まれ、前記情報提供サーバは、前記時間情報に基づいて情報の検索を行ない、その検索結果の情報を送出するものである
ことを特徴とする情報編集表示装置。
【請求項４】
請求項３に記載の情報編集表示装置において、
前記情報移行手段は、前記取り込み指示がなされた前記識別表示情報を、前記編集用画面エリアの、対応する時間情報の前記入力情報の近傍に配置して表示する
ことを特徴とする情報編集表示装置。
【請求項５】
請求項１に記載の情報編集表示装置において、
前記操作手段で受け付けられた入力操作に基づいて指定された検索キーワードを用いて、当該情報編集表示装置が備える情報格納部および／または通信路を通じて接続される情報格納部に格納されている情報を検索し、その検索結果として得られる情報を識別するための識別表示情報を、前記参照用画面エリアに表示する
ことを特徴とする情報編集表示装置。
【請求項６】
編集用画面エリアと参照用画面エリアとを用いて、情報の編集を行なう情報編集表示方法において、
ユーザの入力操作に応じた入力情報を前記編集用画面エリアに表示する編集入力工程と、
前記入力操作に基づいて指定された検索キーワードを含む検索要求を、ネットワークを通じて情報提供サーバに送る検索要求工程と、
前記検索要求工程による前記検索要求に基づいて前記情報提供サーバから送られてくる情報を受信し、当該受信した情報を識別するための識別表示情報を前記参照用画面エリアに表示する検索結果表示工程と、
前記参照用画面エリアに表示されている前記識別表示情報に対して、前記参照用画面エリアから前記編集用画面エリアへの取り込み指示を受けたときに、前記取り込み指示がなされた前記識別表示情報を、前記編集用画面エリアに表示して編集データとして取り込む情報移行工程と、
を備えることを特徴とする情報編集表示方法。
【請求項７】
編集用画面エリアと参照用画面エリアとを用いて、情報の編集を行なうコンピュータの情報編集表示プログラムであって、
前記情報編集表示プログラムは、前記コンピュータに、
ユーザの入力操作に応じた入力情報を前記編集用画面エリアに表示する編集入力工程、
前記入力操作に基づいて指定された検索キーワードを含む検索要求を、ネットワークを通じて情報提供サーバに送る検索要求工程、
前記検索要求工程による前記検索要求に基づいて前記情報提供サーバから送られてくる情報を受信し、当該受信した情報を識別するための識別表示情報を前記参照用画面エリアに表示する検索結果表示工程、
前記参照用画面エリアに表示されている前記識別表示情報に対して、前記参照用画面エリアから前記編集用画面エリアへの取り込み指示を受けたときに、前記取り込み指示がなされた前記識別表示情報を、前記編集用画面エリアに表示して編集データとして取り込む情報移行工程、
を実行させるための情報編集表示プログラム。
【請求項８】
請求項７に記載の情報編集表示プログラムにおいて、
前記コンピュータに、さらに、
前記編集用画面エリアに表示された編集結果の情報を、ユーザの指示入力に応じて前記サーバに保存するように要求する保存要求工程、
前記編集結果の情報を公開するか否かをユーザに問い合わせる問合せ工程、
前記問合せに応じて前記ユーザにより入力される前記編集結果の情報を公開するか否かの情報を前記サーバに送信する工程、
を実行させるものであることを特徴とする情報編集表示プログラム。
【請求項９】
請求項７に記載の情報編集表示プログラムにおいて、
前記編集結果の情報は、前記サーバに保存要求して、前記サーバに保存するようにするものであって、前記サーバに、一旦、編集結果の情報を保存した後に、前記サーバから、前記情報編集表示プログラムと共に、前記編集結果を取得して再編集を行なう
ことを特徴とする情報編集表示プログラム。
【請求項１０】
編集用画面エリアと参照用画面エリアとを用いて、情報の編集を行なうためにコンピュータに、
ユーザの入力操作に応じた入力情報を前記編集用画面エリアに表示する編集入力工程、
前記入力操作に基づいて指定された検索キーワードを含む検索要求を、ネットワークを通じて情報提供サーバに送る検索要求工程、
前記検索要求工程による前記検索要求に基づいて前記情報提供サーバから送られてくる情報を受信し、当該受信した情報を識別するための識別表示情報を前記参照用画面エリアに表示する検索結果表示工程、
前記参照用画面エリアに表示されている前記識別表示情報に対して、前記参照用画面エリアから前記編集用画面エリアへの取り込み指示を受けたときに、前記取り込み指示がなされた前記識別表示情報を、前記編集用画面エリアに表示して編集データとして取り込む情報移行工程、
を実行させるための情報編集表示プログラム。
【請求項１１】
コンピュータを備える情報編集表示装置にネットワークを通じて接続され、前記情報編集表示装置からの要求に応じて、前記情報編集表示装置に情報編集表示プログラムを送るようにするサーバであって、
編集用画面エリアと参照用画面エリアとを用いて、情報の編集を行うサーバにおいて、
ユーザの入力操作に応じた入力情報を前記編集用画面エリアに表示する編集入力工程、
前記入力操作に基づいて指定された検索キーワードを含む検索要求を、ネットワークを通じて情報提供サーバに送る検索要求工程、
前記検索要求工程による前記検索要求に基づいて前記情報提供サーバから送られてくる情報を受信し、当該受信した情報を識別するための識別表示情報を前記参照用画面エリアに表示する検索結果表示工程、
前記参照用画面エリアに表示されている前記識別表示情報に対して、前記参照用画面エリアから前記編集用画面エリアへの取り込み指示を受けたときに、前記取り込み指示がなされた前記識別表示情報を、前記編集用画面エリアに表示して編集データとして取り込む情報移行工程、
を実行させるための情報編集表示プログラムを実行するサーバ。
【請求項１２】
請求項１１に記載のサーバにおいて、
前記情報編集表示プログラムは、さらに、
前記編集用画面エリアに表示された編集結果の情報を、ユーザの指示入力に応じて前記サーバに保存する保存工程、
前記編集結果の情報を公開するか否かをユーザに問い合わせる問合せ工程、
前記問合せに応じて前記ユーザにより入力される前記編集結果の情報を公開するか否かの情報を受信して記憶する工程段、
を実行させるものであることを特徴とするサーバ。
【請求項１３】
請求項１１に記載のサーバにおいて、
前記編集結果の情報を、一旦、保存した後に、前記情報編集表示装置から前記情報編集表示プログラムの取得要求があったときには、前記保存されている前記編集結果を合わせて前記情報編集表示装置に送る
ことを特徴とするサーバ。
【請求項１４】
コンピュータを備える情報編集表示装置と、前記情報編集表示装置とネットワークを通じて接続されるサーバとからなる情報処理システムであって、
前記情報編集表示装置は、前記サーバに要求することにより、情報編集表示プログラムを取得して、取得した前記情報編集表示プログラムにしたがって、編集用画面エリアと参照用画面エリアとを用いて、情報の編集を行ない、その編集結果の情報を前記サーバに保存するようにし、
前記サーバは、前記情報編集表示装置からの要求に応じて、前記情報編集表示装置に情報編集表示プログラムを送り、その編集結果の情報を前記情報編集表示装置から受け取って保存するものであり、
前記情報編集表示プログラムは、前記情報編集表示装置のコンピュータに、
ユーザの入力操作に応じた入力情報を前記編集用画面エリアに表示する編集入力工程、
前記入力操作に基づいて指定された検索キーワードを含む検索要求を、ネットワークを通じてサーバに送る検索要求工程、
前記検索要求工程による前記検索要求に基づいて前記サーバから送られてくる情報を受信し、当該受信した情報を識別するための識別表示情報を前記参照用画面エリアに表示する検索結果表示工程、
前記参照用画面エリアに表示されている前記識別表示情報に対して、前記参照用画面エリアから前記編集用画面エリアへの取り込み指示を受けたときに、前記取り込み指示がなされた前記識別表示情報を、前記編集用画面エリアに表示して編集データとして取り込む情報移行工程、
前記編集用画面エリアに表示された編集結果の情報を、ユーザの指示入力に応じて前記サーバに保存するように要求する保存要求工程、
を実行させるためのプログラムであることを特徴とする情報処理システム。
【請求項１５】
請求項１４に記載の情報処理システムにおいて、
前記情報編集表示プログラムは、前記コンピュータに、さらに、
前記編集結果の情報を公開するか否かをユーザに問い合わせる問合せ工程、
前記問合せに応じて前記ユーザにより入力される前記編集結果の情報を公開するか否かの情報を前記サーバに送信する工程、
を実行させるものであることを特徴とする情報処理システム。
【手続補正２】
【補正対象書類名】明細書
【補正対象項目名】０００８
【補正方法】変更
【補正の内容】
【０００８】
上記の課題を解決するために、この発明による情報編集表示装置は、
編集用画面エリアと参照用画面エリアとを用いて、情報の編集を行なう情報編集表示装置において、
ユーザの入力操作を受け付ける操作手段と、
前記操作手段で受け付けられた前記ユーザの入力操作に応じた入力情報を前記編集用画面エリアに表示する編集入力手段と、
前記操作手段で受け付けられた入力操作に基づいて指定された検索キーワードを含む検索要求を、ネットワークを通じて情報提供サーバに送る検索要求手段と、
前記検索要求手段による前記検索要求に基づいて前記情報提供サーバから送られてくる情報を受信し、当該受信した情報を識別するための識別表示情報を前記参照用画面エリアに表示する検索結果表示手段と、
前記参照用画面エリアに表示されている前記識別表示情報に対して、前記参照用画面エリアから前記編集用画面エリアへの取り込み指示があったか否かを判別する指示判別手段と、
前記指示判別手段で、前記識別表示情報の前記参照用画面エリアから前記編集用画面エリアへの取り込み指示があったと判別したときに、前記取り込み指示がなされた前記識別表示情報を、前記編集用画面エリアに表示して編集データとして取り込む情報移行手段と、
を備えることを特徴とする。
【手続補正３】
【補正対象書類名】明細書
【補正対象項目名】０００９
【補正方法】変更
【補正の内容】
【０００９】
また、この発明は、上記の情報編集表示装置において、
前記情報提供サーバから送られてくる情報には、時間情報が付随されており、前記検索結果表示手段は、前記受信した情報を識別するための識別表示情報を、前記時間情報に基づいて時間順に並べて前記参照用画面エリアに表示する
ことを特徴とする。
【手続補正４】
【補正対象書類名】明細書
【補正対象項目名】００１０
【補正方法】変更
【補正の内容】
【００１０】
また、この発明は、上記の情報編集表示装置において、
前記編集用画面エリアには、時間情報に関連付けられて前記入力情報が入力されて表示されており、
前記検索キーワードには時間情報が含まれ、前記情報提供サーバは、前記時間情報に基づいて情報の検索を行ない、その検索結果の情報を送出するものである
ことを特徴とする。
【手続補正５】
【補正対象書類名】明細書
【補正対象項目名】００１１
【補正方法】変更
【補正の内容】
【００１１】
上述の構成の発明においては、編集用画面エリアでユーザ入力情報を入力しながら、情報検索要求手段でサーバに対してネットワークを通じて検索キーワードを含む検索要求をすると、サーバから送られてくる検索結果を受け取って、その検索結果の識別用情報を編集用画面エリアとは別の参照用画面エリアに表示するようにする。
【手続補正６】
【補正対象書類名】明細書
【補正対象項目名】００１２
【補正方法】変更
【補正の内容】
【００１２】
そして、この参照用画面エリアに表示されている検索結果の識別用情報について、参照用画面エリアから編集用画面エリアへの取り込み指示がなされると、情報移行手段により取り込み指示がなされた識別表示情報が、編集用画面エリアにコピーされて表示される。これにより、ネットワークから検索して取得された情報を、編集用画面エリアに取り込んで編集することが可能になる。
【手続補正７】
【補正対象書類名】明細書
【補正対象項目名】００１３
【補正方法】変更
【補正の内容】
【００１３】
そして、この発明によれば、サーバから取得される検索結果には時間情報が付随されており、参照用画面エリアに表示された検索結果の情報の識別表示情報は、前記時間情報に基づいて、時間順に並べられる。
【手続補正８】
【補正対象書類名】明細書
【補正対象項目名】００１５
【補正方法】変更
【補正の内容】
【００１５】
また、この発明によれば、編集用画面エリアにおいて時間情報に関連付けた編集入力を行なっている場合において、時間情報を含む検索キーワードを用いて検索をすることができるので、参照用画面エリアに編集に際して有用な情報を表示して、必要に応じて編集用画面エリアに取り込んで、編集データとすることができる。
【手続補正９】
【補正対象書類名】明細書
【補正対象項目名】００１８
【補正方法】変更
【補正の内容】
【００１８】
なお、この明細書において、コンテンツとは、例えば音楽、映像（映画、テレビ放送番組、撮像画像など）、電子書籍（論文、小説、雑誌などのテキスト情報および静止画情報）、ガイド情報、Ｗｅｂページ、プログラム（ゲームプログラムなどを含む）などの信号によって表現された内容情報とするものとする。
【手続補正１０】
【補正対象書類名】明細書
【補正対象項目名】００２２
【補正方法】変更
【補正の内容】
【００２２】
また、ネットワークサーバ２０は、通信ネットワーク３０を通じて、ネットワークストレージ２２やユーザ装置２３に接続して、それらの外部のネットワークストレージ２２やユーザ装置２３から、所定のコンテンツを取得することが可能とされている。この例では、ネットワークストレージ２２やユーザ装置２３は、ネットワークサーバ２０からのコンテンツ取得要求があると、当該取得要求されたコンテンツのデータをネットワークサーバ２０に送る機能を備えている。
【手続補正１１】
【補正対象書類名】明細書
【補正対象項目名】００２６
【補正方法】変更
【補正の内容】
【００２６】
コンテンツの主データは、例えば音楽コンテンツの場合のオーディオデータ、映像コンテンツの場合の映像データ、文書コンテンツの場合のテキストデータ等である。なお、各コンテンツの主データは、それぞれのコンテンツの種類に応じた適切な圧縮が施されてコンテンツデータベース２１に記憶されている。例えば、音楽コンテンツのデータの場合には、ＭＰ３（ＭＰＥＧ−１  ａｕｄｉｏ  ｌａｙｅｒ  III）やＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）などが用いられて圧縮されて記録されている。また、音楽コンテンツがＭＩＤＩ（Ｍｕｓｉｃａｌ  Ｉｎｓｔｒｕｍｅｎｔ  Ｄｉｇｉｔａｌ  Ｉｎｔｅｒｆａｃｅ）のデータからなっていてもよい。
【手続補正１２】
【補正対象書類名】明細書
【補正対象項目名】００２９
【補正方法】変更
【補正の内容】
【００２９】
コンテンツの識別表示情報は、この例では、ユーザにコンテンツがどのようなものであるかを報知するためのもので、サムネイルやアイコンなどで構成されている。また、このコンテンツの識別表示情報には、コンテンツを説明するためのテキスト情報が附属される場合もある。後述するように、この例では、このコンテンツの識別表示情報が、表示画面に表示されているときに、ユーザにより、例えばクリック（ダブルクリックでもよい）されると、当該識別情報により識別されるコンテンツが選択されたことを意味するように、編集表示処理用のプログラムが作成されている。
【手続補正１３】
【補正対象書類名】明細書
【補正対象項目名】００４１
【補正方法】変更
【補正の内容】
【００４１】
ところで、この実施形態では、コンテンツの主データがネットワークサーバ２０のコンテンツデータベース２１には無く、ネットワークストレージ２２やユーザ装置２３に存在する場合を想定している。つまり、この実施形態では、コンテンツデータベース２１の格納容量が有限であることから、ネットワークサーバ２０以外に格納されているコンテンツの主データを、必要に応じて取得して、利用するようにするものである。
【手続補正１４】
【補正対象書類名】明細書
【補正対象項目名】００６０
【補正方法】変更
【補正の内容】
【００６０】
なお、この実施形態では、検索要求には、当該情報編集表示装置１０のＡＶコンテンツデコード処理部１０７が備えるＡＶコンテンツデコード機能を識別するための情報を含めるようにしておき、ネットワークサーバ２０から、当該ＡＶコンテンツデコード処理部１０７でデコード処理ができるＡＶコンテンツのみを取得するように構成する。
【手続補正１５】
【補正対象書類名】明細書
【補正対象項目名】００６１
【補正方法】変更
【補正の内容】
【００６１】
ハードディスクドライブ１１２は、ローカル記憶部１２の例を構成するもので、この例では、記憶媒体としてのハードディスクに、ユーザが作成したコンテンツや、撮影した写真のコンテンツ、サーバから取得した公開されているコンテンツなどが、前述したようなフォルダおよびファイル形式で記憶されている。
【手続補正１６】
【補正対象書類名】明細書
【補正対象項目名】００６２
【補正方法】変更
【補正の内容】
【００６２】
外部メディアドライブ１１３は、例えばＤＶＤ（Ｄｉｇｉｔａｌ  Ｖｅｒｓａｔｉｌｅ  Ｄｉｓｃ）などの外部メディアが装填されて、当該外部メディアに対して書き込みおよび読み出しを行なうもので、これはローカル記憶部１１の例を構成するものである。ユーザが編集に用いたいと考えるコンテンツが記憶されている外部メディアを、この外部メディアドライブ１１３に装填することにより、ユーザが使用したい素材を編集用として用いることができる。
【手続補正１７】
【補正対象書類名】明細書
【補正対象項目名】００７０
【補正方法】変更
【補正の内容】
【００７０】
配信データ生成処理部２０８は、コンテンツ検索部２０７での検索結果として得られたコンテンツの識別表示情報またはコンテンツの主データから配信データを生成し、生成した配信データを送信データ処理部２０６に転送するようにする。
【手続補正１８】
【補正対象書類名】明細書
【補正対象項目名】００７４
【補正方法】変更
【補正の内容】
【００７４】
すなわち、図６〜図８の例では、編集用画面エリア３００は、誰の自分史であるかを示す名前欄３０１と、誕生日表示欄３０２と、年代表示欄３０３と、イベント表示欄３０４と、関連情報表示欄３０５とを備えており、ユーザの操作入力部１１５を通じた入力情報が各欄に表示される。
【手続補正１９】
【補正対象書類名】明細書
【補正対象項目名】００７７
【補正方法】変更
【補正の内容】
【００７７】
そして、ユーザが、年（必要に応じて月日も付加）およびその年（あるいは年月日）に起こったイベントを入力すると、「年代」数字が編集用画面エリア３００の年代表示欄３０３に表示されると共に、イベント表示欄３０４の、年代表示欄３０３の各年代数字の横の位置に、その年（あるいは年月日）に起こったものとして入力されたイベント内容がテキスト文字により表示される。
【手続補正２０】
【補正対象書類名】明細書
【補正対象項目名】００８２
【補正方法】変更
【補正の内容】
【００８２】
検索キーワードが指定された後、ユーザが、この例では、ソフトウエアキーとして参照用画面エリア４００に表示されている検索キー４０４を操作すると、それがユーザによる検索要求指示として判別され、情報編集表示装置１０は、通信ネットワーク３０を通じてネットワークサーバ２０にアクセスして、入力された検索キーワードを含む検索要求を送ると共に、自装置１０において、ローカル記憶部１１２、１１３に記憶されているコンテンツについて検索を実行する。
【手続補正２１】
【補正対象書類名】明細書
【補正対象項目名】００８６
【補正方法】変更
【補正の内容】
【００８６】
この結果、参照用画面エリア４００には、コンテンツの格納場所が、ローカル記憶部１１２、１１３であるか、通信ネットワーク３０を通じたネットワークサーバ２０やネットワークストレージ２２、ユーザ装置２３などであるかに関わらず、１〜複数個のコンテンツの識別表示情報が表示される。
【手続補正２２】
【補正対象書類名】明細書
【補正対象項目名】０１００
【補正方法】変更
【補正の内容】
【０１００】
ユーザが自分史編集機能を起動する操作をすると、ＣＰＵ１０１は、ＲＯＭ１０２から情報編集表示処理プログラムを読み出して、図１０〜図１４のフローチャートにより表される処理をスタートさせる。
【手続補正２３】
【補正対象書類名】明細書
【補正対象項目名】０１０７
【補正方法】変更
【補正の内容】
【０１０７】
次に、ＣＰＵ１０１は、参照用画面エリア用バッファに格納されているコンテンツの識別表示情報を、コンテンツの種類ごとに分け、当該コンテンツの種類ごとに、時間軸方向に沿ってソートを行なって並べる（ステップＳ１２）。そして、ソートされたコンテンツの種類のうちの一つのコンテンツの識別表示情報を、参照用画面エリア４００に、図６〜図８に示したように、時間順に並べて表示する（ステップＳ１３）。参照用画面エリア４００は、このときに初めてディスプレイ１１４の表示画面に設けるようにしても良い。
【手続補正２４】
【補正対象書類名】明細書
【補正対象項目名】０１１７
【補正方法】変更
【補正の内容】
【０１１７】
次に、ＣＰＵ１０１は、参照用画面エリア用バッファに格納されているコンテンツの識別表示情報を、コンテンツの種類ごとに分ける（ステップＳ２９）。そして、分けられたコンテンツの種類のうちの一つのコンテンツの識別表示情報を、参照用画面エリア４００に、例えば図７に示したように並べて表示する（図１３ステップＳ３１）。このとき、検索キーワードが時間情報を含むので、コンテンツの識別表示情報に付随する時間情報を用いたソートは行なわなくても良いが、図７に示したように、詳細な時間情報に従って時間軸方向にソートしても良い。ステップＳ２１に基づく検索要求が最初の検索要求であったときには、参照用画面エリア４００は、このときに初めてディスプレイ１１４の表示画面に設けるようにしても良い。
【手続補正２５】
【補正対象書類名】明細書
【補正対象項目名】０１２８
【補正方法】変更
【補正の内容】
【０１２８】
このステップＳ４５で、自分史編集の終了指示操作はなされていないと判別したときには、ＣＰＵ１０１は、図１０のステップＳ２に戻る。また、ステップＳ４５で、自分史編集の終了指示操作がなされたと判別したときには、ＣＰＵ１０１は、編集用画面エリア用バッファに格納されている編集データを保存するか否かの問合せのメッセージを、ディスプレイ１１４の表示画面に表示する（ステップＳ４６）。
【手続補正２６】
【補正対象書類名】明細書
【補正対象項目名】０１２９
【補正方法】変更
【補正の内容】
【０１２９】
そして、ＣＰＵ１０１は、この問合せメッセージに対するユーザ操作に基づき、編集データを保存するか否かを判別する（ステップＳ４７）。このステップＳ４７で、編集データを保存すると判別したときには、ＣＰＵ１０１は、編集データの保存を実行し（ステップＳ４８）、その後、ネットワークサーバ２０との通信路が確立されている場合には、その通信路を切断して、自分史編集用の画面を閉じる（ステップＳ４９）。また、ステップＳ４７で、編集データを保存しないと判別したときには、ＣＰＵ１０１は、ステップＳ４９に進んで、ネットワークサーバ１１との通信路が確立されている場合には、その通信路を切断して、自分史編集用の画面を閉じる。
【手続補正２７】
【補正対象書類名】明細書
【補正対象項目名】０１３０
【補正方法】変更
【補正の内容】
【０１３０】
［第１の実施形態のネットワークサーバ２０の処理動作例］
図１５および図１６は、この第１の実施形態の場合におけるネットワークサーバ２０の処理動作を説明するためのフローチャートである。なお、図１５および図１６の各ステップの処理は、ネットワークサーバ２０のＣＰＵ２０１が、ＲＯＭ２０２の処理プログラムにしたがって、ＲＡＭ２０３をワークエリアとして用いて行なうものである。
【手続補正２８】
【補正対象書類名】明細書
【補正対象項目名】０１３１
【補正方法】変更
【補正の内容】
【０１３１】
ネットワークサーバ２０のＣＰＵ２０１は、常に、情報編集表示装置１０からのアクセス信号を受信したかどうかを監視する（ステップＳ５１）。そして、情報編集表示装置１０からのアクセス信号を受信したと判別したときには、ＣＰＵ２０１は、当該アクセスしてきた情報編集表示装置１０との間で機器認証を行なって、機器認証がＯＫであるか否か判別し（ステップＳ５２）、その結果、認証がＮＧであると判別したときには、当該認証ＮＧをアクセスしてきたコンテンツ受信端末に通知し（ステップＳ５３）、その後、ステップＳ５１に戻る。
【手続補正２９】
【補正対象書類名】明細書
【補正対象項目名】０１５２
【補正方法】変更
【補正の内容】
【０１５２】
この例では、ユーザが自分史編集機能を起動する操作をすると、ＣＰＵ１０１は、ＲＯＭ１０２に記憶されているネットワークサーバ２０のアドレス情報を宛先アドレスとすると共に、自装置１０のアドレス情報を送信元アドレス情報として、通信ネットワーク３０を通じて、ネットワークサーバ２０に自分史編集要求のアクセスをする（ステップＳ９１）。
【手続補正３０】
【補正対象書類名】明細書
【補正対象項目名】０１６３
【補正方法】変更
【補正の内容】
【０１６３】
次に、ＣＰＵ１０１は、参照用画面エリア用バッファに格納されているコンテンツの識別表示情報を、コンテンツの種類ごとに分け、当該コンテンツの種類ごとに、時間軸方向に沿ってソートを行なって並べる（ステップＳ１１３）。そして、ソートされたコンテンツの種類のうちの一つのコンテンツの識別表示情報を、参照用画面エリア４００に、図６、図８に示したように、時間順に並べて表示する（ステップＳ１１４）。参照用画面エリア４００は、このときに初めてディスプレイ１１４の表示画面に設けるようにしても良い。
【手続補正３１】
【補正対象書類名】明細書
【補正対象項目名】０１６９
【補正方法】変更
【補正の内容】
【０１６９】
次に、ＣＰＵ１０１は、参照用画面エリア用バッファに格納されているコンテンツの識別表示情報を、コンテンツの種類ごとに分ける（ステップＳ１２３）。そして、分けられたコンテンツの種類のうちの一つのコンテンツの識別表示情報を、参照用画面エリア４００に、例えば図７に示したように並べて表示する（ステップＳ１２４）。このとき、検索キーワードが時間情報を含むので、コンテンツの識別表示情報に付随する時間情報を用いたソートは行なわなくても良いが、図７に示したように、詳細な時間情報に従って時間軸方向にソートしても良い。ステップＳ１１７における検索要求が最初の検索要求であったときには、参照用画面エリア４００は、このときに初めてディスプレイ１１４の表示画面に設けるようにしても良い。
【手続補正３２】
【補正対象書類名】明細書
【補正対象項目名】０１７３
【補正方法】変更
【補正の内容】
【０１７３】
このステップＳ１２７で、編集用画面エリア３００の関連情報表示欄３０５のコンテンツの識別表示情報に対する選択操作がなされたと判別したときには、ＣＰＵ１０１は、選択操作された識別表示情報のコンテンツは、ローカル記憶部１１２、１１３に格納されているコンテンツであるか否か判別する（図２０のステップＳ１３１）。
【手続補正３３】
【補正対象書類名】明細書
【補正対象項目名】０１７４
【補正方法】変更
【補正の内容】
【０１７４】
このステップＳ１３１で、選択操作された識別表示情報のコンテンツは、ローカル記憶部１１２、１１３に格納されていると判別したときには、ＣＰＵ１０１は、自装置のローカル記憶部１１２、１１３から、識別表示情報が選択操作されたコンテンツの主データを読み出して再生したり、あるいは拡大表示したりする（ステップＳ１３２）。前述したように、このコンテンツの主データの再生等は、別のウィンドウを開いて、そのウィンドウにおいて行なうようにすることができる。
【手続補正３４】
【補正対象書類名】明細書
【補正対象項目名】０１７５
【補正方法】変更
【補正の内容】
【０１７５】
また、ステップＳ１３１で、選択操作された識別表示情報のコンテンツは、ローカル記憶部１１２、１１３に格納されているものではなく、ネットワークサーバ２０から取得したものであると判別したときには、ＣＰＵ１０１は、ネットワークサーバ２０に対応コンテンツの主データの取得要求を送る（ステップＳ１３３）。そして、ＣＰＵ１０１は、ネットワークサーバ２０から対応コンテンツの主データを取得し、ストリーミング再生したり、あるいは拡大表示したりする（ステップＳ１３４）。前述したように、このコンテンツの主データのストリーミング再生等は、別のウィンドウを開いて、そのウィンドウにおいて行なうようにすることができる。
【手続補正３５】
【補正対象書類名】明細書
【補正対象項目名】０１７８
【補正方法】変更
【補正の内容】
【０１７８】
ステップＳ１４３の後、ＣＰＵ１０１は、ユーザにより自分史編集の終了指示操作があったか否か判別する（ステップＳ１４４）。また、図１９のステップＳ１２５で、参照用画面エリア４００に表示されているコンテンツの識別表示情報のいずれかに対して、編集用画面エリア３００への移動操作がなされていないと判別したときにも、ＣＰＵ１０１は、このステップＳ１４４に進んで、ユーザにより自分史編集の終了指示操作があったか否か判別する。さらに、ステップＳ１２７で、編集用画面エリア３００の関連情報表示欄３０５のコンテンツの識別表示情報に対する選択操作がなされてはいないと判別したときにも、ＣＰＵ１０１は、このステップＳ１４４に進んで、ユーザにより自分史編集の終了指示操作があったか否か判別する。
【手続補正３６】
【補正対象書類名】明細書
【補正対象項目名】０１７９
【補正方法】変更
【補正の内容】
【０１７９】
このステップＳ１４４で、自分史編集の終了指示操作はなされていないと判別したときには、ＣＰＵ１０１は、図１７のステップＳ９６に戻る。また、ステップＳ１４４で、自分史編集の終了指示操作がなされたと判別したときには、ＣＰＵ１０１は、編集用画面エリア用バッファに格納されている編集データを保存するか否かの問合せのメッセージを、ディスプレイ１１４の表示画面に表示する（ステップＳ１４５）。なお、この問合せメッセージには、この実施形態では、編集データを公開するか否かを問い合わせるメッセージも併せて表示されている。
【手続補正３７】
【補正対象書類名】明細書
【補正対象項目名】０１８４
【補正方法】変更
【補正の内容】
【０１８４】
なお、以下の例では、第１の実施形態とは異なり、ネットワークストレージ２２やユーザ装置２３にコンテンツの主データがあるときには、そのコンテンツの識別表示情報も、これらネットワークストレージ２２やユーザ装置２３に記憶されており、コンテンツデータベース２１には、それらのコンテンツの属性情報と、そのコンテンツの格納場所としてのネットワークストレージ２２やユーザ装置２３のアドレス情報が記憶されているものとしている。
【手続補正３８】
【補正対象書類名】明細書
【補正対象項目名】０１８５
【補正方法】変更
【補正の内容】
【０１８５】
ネットワークサーバ２０のＣＰＵ２０１は、常に、情報編集表示装置１０からの自分史編集要求アクセス信号を受信したかどうかを監視する（ステップＳ１６１）。そして、情報編集表示装置１０からの自分史編集要求アクセス信号を受信したと判別したときには、ＣＰＵ２０１は、当該アクセスしてきた情報編集表示装置１０との間で機器認証を行なって、機器認証がＯＫであるか否か判別し（ステップＳ１６２）、その結果、認証がＮＧであると判別したときには、当該認証ＮＧをアクセスしてきたコンテンツ受信端末に通知し（ステップＳ１６３）、その後、ステップＳ１６１に戻る。
【手続補正３９】
【補正対象書類名】明細書
【補正対象項目名】０１９１
【補正方法】変更
【補正の内容】
【０１９１】
その後、ＣＰＵ２０１は、コンテンツの主データの取得要求を受信したか否か判別する（ステップＳ１７６）。ステップＳ１７３で、コンテンツデータベース２１以外のネットワークストレージ２２やユーザ装置２３に検索結果のコンテンツが存在していないと判別したときにも、このステップＳ１７６に進む。また、図２２のステップＳ１６６で検索要求を受信していないと判別したときにも、このステップＳ１７６に進んで、コンテンツの主データの取得要求を受信したか否か判別する。
【手続補正４０】
【補正対象書類名】明細書
【補正対象項目名】０１９９
【補正方法】変更
【補正の内容】
【０１９９】
ステップＳ１８７で保存完了通知の送出をした後、ＣＰＵ２０１は、情報編集表示装置１０との通信路の切断要求を受信したか否か判別する（ステップＳ１８８）。ステップＳ１８５で、情報編集表示装置１０から編集データの保存要求を受信してはいないと判別したときにも、ＣＰＵ２０１は、ステップＳ１８８に進んで、情報編集表示装置１０との通信路の切断要求を受信したか否か判別する。
【手続補正４１】
【補正対象書類名】明細書
【補正対象項目名】０２０４
【補正方法】変更
【補正の内容】
【０２０４】
上述の第２の実施形態の、ネットワークサーバ２０から情報編集表示処理プログラムを取得する例において、編集対象は、ブログ（ウエブログ）として、このブログを編集する際に、上述したこの発明を適用することができる。
【手続補正４２】
【補正対象書類名】明細書
【補正対象項目名】０２０５
【補正方法】変更
【補正の内容】
【０２０５】
上述の実施形態では、ネットワークサーバ２０が中継装置として働いて、情報編集表示装置と、ネットワークストレージやユーザ装置との間で、データのやり取りをするようにしたが、ネットワークサーバ２０が情報編集表示装置１０およびネットワークストレージ２２、ユーザ装置２３に対して、通信相手のアドレスを教えることにより、情報編集表示装置１０と、ネットワークストレージ２２あるいはユーザ装置２３との間で、直接データの授受をするようにすることもできる。ただし、その場合には、情報編集表示装置１０は、ネットワークサーバ２０との通信路を切断した後、ネットワークストレージ２２あるいはユーザ装置２３との間で、通信路を生成したり、ネットワークサーバ２０との接続中であっても、他の装置と接続が可能なように、別の回線網を備えておき、その別の回線網を用いて、ネットワークストレージ２２あるいはユーザ装置２３との間で、通信路を生成したりする必要がある。
【手続補正４３】
【補正対象書類名】明細書
【補正対象項目名】０２０６
【補正方法】変更
【補正の内容】
【０２０６】
また、情報編集表示装置１０が、最初から検索要求を、ネットワークサーバ２０のみでなく、登録されたネットワークストレージ２２やコンテンツの公開を許可しているユーザ装置２３に対して発行するようにしてもよい。
【手続補正４４】
【補正対象書類名】図面
【補正対象項目名】図５
【補正方法】変更
【補正の内容】
【図５】
2007047959.tif 000028
【手続補正４５】
【補正対象書類名】図面
【補正対象項目名】図１５
【補正方法】変更
【補正の内容】
【図１５】
2007047959.tif 000029
【手続補正４６】
【補正対象書類名】図面
【補正対象項目名】図２１
【補正方法】変更
【補正の内容】
【図２１】
2007047959.tif 000030
【手続補正４７】
【補正対象書類名】図面
【補正対象項目名】図２２
【補正方法】変更
【補正の内容】
【図２２】
2007047959.tif 000031
【手続補正４８】
【補正対象書類名】図面
【補正対象項目名】図２４
【補正方法】変更
【補正の内容】
【図２４】
2007047959.tif 000032